(57)【要約】情報記録媒体は、第一の情報と、第一の情報の取り扱いに関する第一の管理情報とを記録する第一の記録領域と、第一の情報から生成される第二の情報と、第二の情報の取り扱いに関する管理する第二の管理情報とを記録する第二の記録領域とを含む。また、第一の記録領域は第一の情報の著作権を管理する第一の著作権管理情報を備え、第二の記録領域は第二の情報の著作権を管理する第二の著作権管理情報を備える。第二の管理情報は、第二の情報と、第二の情報の生成元である第一の情報とのリンク情報を備える。また、第二の著作権管理情報は、第一の著作権管理情報とは独立の、異なる著作権管理情報を記録してもよい。
2007521601.tif 000002
【特許請求の範囲】
【請求項１】
第一情報と前記第一情報の取り扱いに関する第一管理情報とを記録するための第一記録領域と、
前記第一情報に基づいて生成される第二情報と前記第二情報の取り扱いに関する第二管理情報とを記録するための第二記録領域と
を備えた情報記録媒体。
【請求項２】
前記第二管理情報は、前記第一情報と前記第二情報とが関連していることを示すリンク情報を含む、請求項１に記載の情報記録媒体。
【請求項３】
前記第一管理情報は、前記第一情報を特定するためのグループ番号とトラック番号とを含み、
前記リンク情報は、前記第一情報とリンクされている前記第二情報を特定するための識別番号を含む、請求項２に記載の情報記録媒体。
【請求項４】
前記第一記録領域は、前記第一情報の著作権に関する第一著作権管理情報をさらに含み、
前記第二記録領域は、前記第一著作権管理情報とは独立した、前記第二情報の著作権に関する第二著作権管理情報をさらに含む、請求項１に記載の情報記録媒体。
【請求項５】
前記第二著作権管理情報は、
前記第二情報を識別するための固有情報と、
前記第二情報のコピー条件を示すコピー管理情報と、
を含む、請求項４に記載の情報記録媒体。
【請求項６】
前記第二著作権管理情報は、前記第二著作権管理情報の内容とは異なる著作権管理情報を前記第二情報に適用できるか否かを示すトランザクション情報を含む、請求項４に記載の情報記録媒体。
【請求項７】
前記コピー管理情報は、コピーの可否、コピーが可能な回数およびコピーが許可される品質のうちの少なくとも一つを示す、請求項５に記載の情報記録媒体。
【請求項８】
前記第一情報は、第一暗号化方式で暗号化され、
前記第二情報は、第二暗号化方式で暗号化されている、請求項１に記載の情報記録媒体。
【請求項９】
前記第一暗号化方式の暗号化アルゴリズムの一部と、前記第二暗号化方式の暗号化アルゴリズムの一部とは同じである、請求項８に記載の情報記録媒体。
【請求項１０】
前記第一暗号化方式は、前記第二暗号化方式と共通の情報を用いた暗号化処理を含む、請求項８に記載の情報記録媒体。
【請求項１１】
前記共通の情報は、暗号化鍵を生成するために用いられる暗号化鍵生成情報である、請求項１０に記載の情報記録媒体。
【請求項１２】
前記第一情報は、非圧縮情報および可逆圧縮情報のうちの一方であり、
前記第二情報は、前記第一情報が非圧縮情報である場合は、前記第一情報を非可逆圧縮した情報であり、
前記第二情報は、前記第一情報が可逆圧縮情報である場合は、前記第一情報を復号することにより生成した非圧縮情報を非可逆圧縮した情報である、請求項１に記載の情報記録媒体。
【請求項１３】
前記第一情報に基づいて複数の前記第二情報が生成され、
前記生成された複数の第二情報は互いに属性が異なる、請求項１に記載の情報記録媒体。
【請求項１４】
前記第一情報および前記第二情報は音声情報であって、
前記属性は、記録方式、圧縮率、チャンネル数、サンプリング周波数、量子化ビット数、ビットレート、再生時間のうちの少なくとも一つを示す、請求項１３に記載の情報記録媒体。
【請求項１５】
前記複数の第二情報には互いに異なる著作権が適用される、請求項１３に記載の情報記録媒体。
【請求項１６】
前記複数の第二情報には互いに異なる暗号化方式が適用される、請求項１３に記載の情報記録媒体。
【請求項１７】
前記複数の第二情報のうちの少なくとも一つは、複数の暗号化方式によって暗号化されている、請求項１３に記載の情報記録媒体。
【請求項１８】
前記第二記録領域は、前記第二情報の取り扱いに関する第三管理情報をさらに含み、
前記第二管理情報は、前記第一情報と前記第二情報とが関連していることを示す第一リンク情報を含み、
前記第三管理情報は、前記第一リンク情報を含んでいない、請求項１に記載の情報記録媒体。
【請求項１９】
前記第二管理情報は、前記第二管理情報と前記第三管理情報とが関連していることを示す第二リンク情報を含む、請求項１８に記載の情報記録媒体。
【請求項２０】
前記第一記録領域は、前記第一情報の著作権に関する第一著作権管理情報をさらに含み、
前記第二記録領域は、
前記第一著作権管理情報とは独立した、前記第二情報の著作権に関する第二著作権管理情報と、
前記第一著作権管理情報および前記第二著作権管理情報の両方と独立した、前記第二情報の著作権に関する第三著作権管理情報と
をさらに含む、請求項１８に記載の情報記録媒体。
【請求項２１】
前記第二記録領域は、
前記第二情報と同期させて再生される同期再生情報と、
前記同期再生情報の取り扱いに関する同期再生管理情報と
をさらに含む、請求項１に記載の情報記録媒体。
【請求項２２】
前記第二管理情報は、前記第二管理情報と前記同期再生管理情報とが関連していることを示すリンク情報を含む、請求項２１に記載の情報記録媒体。
【請求項２３】
前記リンク情報は前記同期再生管理情報の種類とファイル名とを示す、請求項２２に記載の情報記録媒体。
【請求項２４】
前記第二記録領域は、
前記第二情報の著作権に関する第一著作権管理情報と、
前記同期再生情報の著作権に関する第二著作権管理情報と
をさらに含む、請求項２１に記載の情報記録媒体。
【請求項２５】
前記第一情報および前記第二情報のそれぞれは、音声情報、動画情報、静止画情報およびテキスト情報のうちの少なくとも一つを含む、請求項１に記載の情報記録媒体。
【請求項２６】
前記第一情報、前記第二情報および前記同期再生情報のそれぞれは、音声情報、動画情報、静止画情報およびテキスト情報のうちの少なくとも一つを含む、請求項２１に記載の情報記録媒体。
【請求項２７】
情報記録媒体に記録された第一情報および前記第一情報に基づいて生成された第二情報のうちの少なくとも一方を再生する再生装置であって、
前記情報記録媒体は、
前記第一情報と前記第一情報の取り扱いに関する第一管理情報とを記録するための第一記録領域と、
前記第二情報と前記第二情報の取り扱いに関する第二管理情報とを記録するための第二記録領域と
を備え、
前記再生装置は、
前記第一情報、前記第一管理情報、前記第二情報および前記第二管理情報のうちの少なくとも一つを前記情報記録媒体から読み出す読出し部と、
前記第一管理情報を解読するための第一解読情報、および前記第二管理情報を解読するための第二解読情報のうちの少なくとも一方が格納されている第一格納部と、
前記第一管理情報および前記第二管理情報のうちの少なくとも一方を解読する第一解読部と、
前記第一情報および前記第二情報のうちの少なくとも一方を出力する出力部と
を備え、
前記第一格納部に前記第一解読情報が格納されており、且つ前記第一情報を再生する場合には、
前記読出し部は前記情報記録媒体から前記第一管理情報を読み出し、
前記第一解読部は前記第一解読情報に基づいて前記第一管理情報を解読し、
前記第一管理情報を解読した結果に基づいて、前記読出し部は前記第一情報を読み出し、前記出力部は前記第一情報を出力し、
前記第一格納部に前記第二解読情報が格納されており、且つ前記第二情報を再生する場合には、
前記読出し部は前記情報記録媒体から前記第二管理情報を読み出し、
前記第一解読部は前記第二解読情報に基づいて前記第二管理情報を解読し、
前記第二管理情報を解読した結果に基づいて、前記読出し部は前記第二情報を読み出し、前記出力部は前記第二情報を出力する、再生装置。
【請求項２８】
前記第二情報を再生することができない場合は、前記読出し部は前記情報記録媒体から前記第一情報を読み出す、請求項２７に記載の再生装置。
【請求項２９】
前記第一情報を再生することができない場合は、前記読出し部は前記情報記録媒体から前記第二情報を読み出す、請求項２７に記載の再生装置。
【請求項３０】
前記再生装置は、外部電源および前記再生装置に搭載された電池のうちの少なくとも一方から供給される電力によって駆動し、
前記再生装置は、電力供給元を判定する判定部をさらに備え、
前記外部電源から電力が供給されていると前記判定部が判定し、且つ前記第一情報を再生する場合には、前記読出し部は前記第一情報を読み出し、
前記外部電源から電力が供給されていないと前記判定部が判定した場合には、前記読出し部は前記第二情報を読み出す、請求項２７に記載の再生装置。
【請求項３１】
前記第二管理情報は、前記第一情報と前記第二情報とが関連していることを示すリンク情報を含み、
前記再生装置が前記第一情報のコピー命令を受け取った場合には、
前記読出し部は、前記情報記録媒体から前記リンク情報を読み出し、
前記第一解読部は、前記リンク情報を解読して、前記第一情報と関連している前記第二情報を特定し、
前記読出し部は前記特定された第二情報を読み出して、前記出力部は前記特定された第二情報を出力する、請求項２７に記載の再生装置。
【請求項３２】
前記第一記録領域は、前記第一情報の著作権に関する第一著作権管理情報をさらに含み、前記第二記録領域は、前記第二情報の著作権に関する第二著作権管理情報をさらに含み、
前記再生装置は、
前記第一著作権管理情報を解読するための第三解読情報、および前記第二著作権管理情報を解読するための第四解読情報が格納されている第二格納部と、
前記第一著作権管理情報および前記第二著作権管理情報のうちの少なくとも一方を解読する第二解読部と
をさらに備え、
前記再生装置が前記第一情報のコピー命令を受け取り、且つ前記第一著作権管理情報が前記第一情報のコピー不許可を示している場合には、
前記読出し部は、前記第二著作権管理情報を読み出し、
前記第二解読部は、前記第二著作権管理情報を解読し、
前記第二著作権管理情報が前記第二情報のコピー許可を示している場合には、前記読出し部は前記第二情報を読み出し、前記出力部は前記第二情報を出力する、請求項２７に記載の再生装置。
【請求項３３】
前記第一情報は第一暗号化方式で暗号化されており、前記第二情報は第二暗号化方式で暗号化されており、
前記再生装置は、前記暗号化された第一情報を復号する第一復号部と、前記暗号化された第二情報を復号する第二復号部とのうちの少なくとも一方をさらに備える、請求項２７に記載の再生装置。
【請求項３４】
前記第一情報は第一暗号化方式で暗号化されており、前記第二情報は第二暗号化方式で暗号化されており、
前記第一暗号化方式の一部と前記第二暗号化方式の一部とは同じアルゴリズムを有し、
前記再生装置は、
前記第一情報および前記第二情報のうちの前記同じアルゴリズムを用いて暗号化されているそれぞれの部分を復号する共通復号部と、
前記第一暗号化方式は有するが前記第二暗号化方式は有さないアルゴリズムで暗号化されている前記第一情報の他の部分を復号する第一復号部と、
前記第二暗号化方式は有するが前記第一暗号化方式は有さないアルゴリズムで暗号化されている前記第二情報の他の部分を復号する第二復号部と
をさらに備え、
前記第一情報を再生する場合には、前記読出し部が読み出した前記第一情報を、前記共通復号部と前記第一復号部とが復号し、
前記第二情報を再生する場合には、前記読出し部が読み出した前記第二情報を、前記共通復号部と前記第二復号部とが復号する、請求項２７に記載の再生装置。
【請求項３５】
前記第二記録領域は、前記第二情報の取り扱いに関する第三管理情報をさらに含み、
前記第二管理情報は、前記第一情報と前記第二情報とが関連していることを示すリンク情報を含み、
前記第三管理情報は、前記リンク情報を含んでおらず、
前記第一格納部は、前記第一解読情報および前記第二解読情報のうちの少なくとも一方と、前記第三管理情報を解読するための第三解読情報とを格納しており、
前記第二情報を再生する場合には、前記第二管理情報および前記第三管理情報のうちの少なくとも一方を解読した結果に基づいて、前記読出し部は前記第二情報を読み出す、請求項２７に記載の再生装置。
【請求項３６】
前記第二記録領域は、
前記第二情報と同期させて再生される同期再生情報と、
前記同期再生情報の取り扱いに関する同期再生管理情報と
をさらに含み、
前記第二管理情報は、前記第二管理情報と前記同期再生管理情報とが関連していることを示すリンク情報を含み、
前記第一格納部は、前記同期再生管理情報を解読するための第三解読情報をさらに格納しており、
前記第二情報を再生する場合には、
前記読出し部は、前記第二管理情報と前記同期再生管理情報とを読み出し、
前記第一解読部は、前記第二管理情報と前記同期再生管理情報とを解読し、
前記第二管理情報と前記同期再生管理情報とを解読した結果に基づいて、前記読出し部は前記第二情報と前記同期再生情報とを読み出し、前記出力部は前記第二情報と前記同期再生情報とを同期させて出力する、請求項２７に記載の再生装置。
【請求項３７】
前記第二記録領域は、複数の前記第二情報を含み、
前記複数の第二情報は互いに属性が異なり、
前記再生装置は、再生条件およびコピー条件のうちの少なくとも一方に基づいて前記複数の第二情報のうちの一つを選択する選択部をさらに備え、
前記読出し部は、前記選択された第二情報を読み出す、請求項２７に記載の再生装置。
【請求項３８】
前記第一情報および前記第二情報のそれぞれは、音声情報、動画情報、静止画情報およびテキスト情報のうちの少なくとも一つを含む、請求項２７に記載の再生装置。
【請求項３９】
前記第一情報、前記第二情報および前記同期再生情報のそれぞれは、音声情報、動画情報、静止画情報およびテキスト情報のうちの少なくとも一つを含む、請求項３６に記載の再生装置。
【発明の詳細な説明】
【技術分野】
【０００１】
本発明は、情報記録媒体と、その情報記録媒体から情報を再生する再生装置とに関する。特に、複数の領域に分かれており各領域に情報を記録する情報記録媒体と、その情報記録媒体から情報を再生する再生装置とに関する。
【背景技術】
【０００２】
近年、ＤＶＤディスクに代表されるように、大容量の情報記録媒体が開発されている。従来、ＣＤの記録可能なデータ容量は６５０ＭＢであったが、ＤＶＤディスクの場合は、片面で４．７ＧＢのデータを記録することができるようになっている。また、現在では、青色レーザを用いたさらに高密度な情報記録媒体も開発されている。この結果、ＣＤの音質よりも高音質なコンテンツを１枚の情報記録媒体に長時間記録することができるようになる。例えば、ＣＤには４４．１ｋＨｚ／１６ｂｉｔｓ／２ｃｈの音楽コンテンツが約７４分程記録できるが、ＤＶＤ−Ａｕｄｉｏ  Ｄｉｓｃには、最大１９２ｋＨｚ／２４ｂｉｔｓ／２ｃｈまたは最大９６ｋＨｚ／２４ｂｉｔｓ／６ｃｈのコンテンツでほぼ同程度の時間記録することができる。また、４４．１ｋＨｚ／１６ｂｉｔｓ／２ｃｈの音楽コンテンツなら、ＣＤの約６倍の長時間記録が可能となる（例えば非特許文献１）。
【０００３】
最近はｍｐ３に代表されるような各種の圧縮記録方式が発明され、それらを用いて音楽コンテンツを記録することがある。例えば、１２８ｋｂｐｓのｍｐ３を用いて５分の曲を記録した場合、そのデータ量は約５ＭＢとなる。ＣＤ（４４．１ｋＨｚ／１６ｂｉｔｓ／２ｃｈ）の５分の曲の場合、データ量は約５０ＭＢとなるため、１２８ｋｂｐｓのｍｐ３を用いて記録されたデータ量は、ＣＤ上に記録されたデータ量の５分の１ですむことになる。
【０００４】
情報記録媒体に記録されたコンテンツは、違法にコピーされないように暗号化されて情報記録媒体に記録される。例えば、ＤＶＤ−Ａｕｄｉｏ  Ｄｉｓｃに記録されている音楽コンテンツも、ある暗号化技術を用いて暗号化されている。さらには、暗号化された音楽コンテンツの著作権に関する著作権管理情報も情報記録媒体に記録しておけば、暗号化された音楽コンテンツをコピーする場合は、その著作権管理情報が示す著作権を適用することが可能である。例えば、著作権管理情報が１回のみコピーが許されていることを示す場合は、その音楽コンテンツを１回コピーすれば、２回目以降のコピーができないような仕組みになる。もちろん、著作権管理情報によって音楽コンテンツのコピーを禁止することも可能である。
【０００５】
また、レーベルゲートＣＤでは、１枚のディスクを２つのセッションに分け、片方のセッションには、ＣＣＣＤ（Ｃｏｐｙ  Ｃｏｎｔｒｏｌ  ＣＤ）と呼ばれる、通常のＣＤ−ＲＯＭドライブでは読み込めないコピープロテクション技術を施した音楽コンテンツが記録され、もう片方のセッションには、ＣＤ−ＲＯＭドライブを用いて再生するための音楽コンテンツが記録されている。この場合、通常のＣＤ再生装置はＣＣＣＤの音楽コンテンツを再生し、パソコンではＣＤ−ＲＯＭドライブ用の音楽コンテンツを再生することになる。しかしながら、レーベルゲートＣＤには、各セッションに記録されている音楽コンテンツ間の関連性を示す情報は記録されいない。このため、２つのセッションに記録されている音楽コンテンツを、再生条件やコピー条件等に応じて使い分けることはできない。また、パソコンではＣＣＣＤの音楽コンテンツを読み込めないため、そのような再生やコピーの制御はできない。
【非特許文献１】ＤＶＤ  Ｓｐｅｃｉｆｉｃａｔｉｏｎｓ  ｆｏｒ  Ｒｅａｄ−ｏｎｌｙ  Ｄｉｓｃ  Ｐａｒｔ  ４  ＡＵＤＩＯ  ＳＰＥＣＩＦＩＣＡＴＩＯＮＳ  Ｖｅｒｓｉｏｎ．１．２
【発明の開示】
【発明が解決しようとする課題】
【０００６】
ＤＶＤ−Ａｕｄｉｏ  Ｄｉｓｃは高音質な音楽コンテンツを記録することが可能であるため、ＤＶＤ−Ａｕｄｉｏ  Ｄｉｓｃに記録される音楽コンテンツを作成する音楽会社は、そのような高音質な音楽コンテンツをコピーさせたくないと要求することも考えられる。しかしながら、ＤＶＤ−Ａｕｄｉｏ  Ｄｉｓｃを視聴するユーザは、私的利用のためにＤＶＤ−Ａｕｄｉｏ  Ｄｉｓｃに記録されている音楽コンテンツをコピーしたいという要求もある。
【０００７】
また、ＤＶＤ−Ａｕｄｉｏ  Ｄｉｓｃに記録された高音質な音楽コンテンツのコピーが許可されたとしても、その音楽コンテンツのデータ量は大きいため、コピーに時間がかかってしまうという問題がある。例えば、ＣＤ（４４．１ｋＨｚ／１６ｂｉｔｓ／２ｃｈ）の５分の曲ならば、データ量約５０ＭＢとなるが、ＤＶＤ−Ａｕｄｉｏ  Ｄｉｓｃに記録された４４．１ｋＨｚ／２４ｂｉｔｓ／６ｃｈの５分の曲の場合、そのデータ量は約２４０ＭＢとなる。この場合、ＤＶＤ−Ａｕｄｉｏ  Ｄｉｓｃに記録された音楽コンテンツをコピーする場合には、ＣＤの時より約５倍の時間がかかってしまうことになる。
【０００８】
さらに、ポータブルの再生装置で音楽コンテンツを再生する場合、一般的に消費電力の問題がある。ポータブルの再生装置は蓄電池で駆動しており、再生に必要な消費電力が大きいと、再生時間が短くなってしまう。ＤＶＤ−Ａｕｄｉｏ  Ｄｉｓｃに記録された高音質な音楽コンテンツをポータブルの再生装置で再生する場合は、データ量の大きい音楽コンテンツを再生することになる。音楽コンテンツのデータ量が、ポータブルの再生装置が搭載しているメモリ容量よりもはるかに大きい場合、音楽コンテンツの全データをＤＶＤ−Ａｕｄｉｏ  Ｄｉｓｃから先に読み出してメモリに記録しておくことはできない。このため、再生中は常にＤＶＤ−Ａｕｄｉｏ  Ｄｉｓｃを回転させながら音楽コンテンツのデータを読み出す必要がる。この場合、ディスクを回転させるための電力が必要となり、長時間再生が困難になってしまう。
【課題を解決するための手段】
【０００９】
本発明の一局面によれば、情報記録媒体は、第一情報と前記第一情報の取り扱いに関する第一管理情報とを記録するための第一記録領域と、前記第一情報に基づいて生成される第二情報と前記第二情報の取り扱いに関する第二管理情報とを記録するための第二記録領域とを備える。
【００１０】
本発明の一実施形態においては、前記第二管理情報は、前記第一情報と前記第二情報とが関連していることを示すリンク情報を含む。
【００１１】
本発明の一実施形態においては、前記第一管理情報は、前記第一情報を特定するためのグループ番号とトラック番号とを含み、前記リンク情報は、前記第一情報とリンクされている前記第二情報を特定するための識別番号を含む。
【００１２】
本発明の一実施形態においては、前記第一記録領域は、前記第一情報の著作権に関する第一著作権管理情報をさらに含み、前記第二記録領域は、前記第一著作権管理情報とは独立した、前記第二情報の著作権に関する第二著作権管理情報をさらに含む。
【００１３】
本発明の一実施形態においては、前記第二著作権管理情報は、前記第二情報を識別するための固有情報と、前記第二情報のコピー条件を示すコピー管理情報と、を含む。
【００１４】
本発明の一実施形態においては、前記第二著作権管理情報は、前記第二著作権管理情報の内容とは異なる著作権管理情報を前記第二情報に適用できるか否かを示すトランザクション情報を含む。
【００１５】
本発明の一実施形態においては、前記コピー管理情報は、コピーの可否、コピーが可能な回数およびコピーが許可される品質のうちの少なくとも一つを示す。
【００１６】
本発明の一実施形態においては、前記第一情報は、第一暗号化方式で暗号化され、前記第二情報は、第二暗号化方式で暗号化されている。
【００１７】
本発明の一実施形態においては、前記第一暗号化方式の暗号化アルゴリズムの一部と、前記第二暗号化方式の暗号化アルゴリズムの一部とは同じである。
【００１８】
本発明の一実施形態においては、前記第一暗号化方式は、前記第二暗号化方式と共通の情報を用いた暗号化処理を含む。
【００１９】
本発明の一実施形態においては、前記共通の情報は、暗号化鍵を生成するために用いられる暗号化鍵生成情報である。
【００２０】
本発明の一実施形態においては、前記第一情報は、非圧縮情報および可逆圧縮情報のうちの一方である。前記第二情報は、前記第一情報が非圧縮情報である場合は、前記第一情報を非可逆圧縮した情報である。前記第二情報は、前記第一情報が可逆圧縮情報である場合は、前記第一情報を復号することにより生成した非圧縮情報を非可逆圧縮した情報である。
【００２１】
本発明の一実施形態においては、前記第一情報に基づいて複数の前記第二情報が生成され、前記生成された複数の第二情報は互いに属性が異なる。
【００２２】
本発明の一実施形態においては、前記第一情報および前記第二情報は音声情報であって、前記属性は、記録方式、圧縮率、チャンネル数、サンプリング周波数、量子化ビット数、ビットレート、再生時間のうちの少なくとも一つを示す。
【００２３】
本発明の一実施形態においては、前記複数の第二情報には互いに異なる著作権が適用される。
【００２４】
本発明の一実施形態においては、前記複数の第二情報には互いに異なる暗号化方式が適用される。
【００２５】
本発明の一実施形態においては、前記複数の第二情報のうちの少なくとも一つは、複数の暗号化方式によって暗号化されている。
【００２６】
本発明の一実施形態においては、前記第二記録領域は、前記第二情報の取り扱いに関する第三管理情報をさらに含み、前記第二管理情報は、前記第一情報と前記第二情報とが関連していることを示す第一リンク情報を含み、前記第三管理情報は、前記第一リンク情報を含んでいない。
【００２７】
本発明の一実施形態においては、前記第二管理情報は、前記第二管理情報と前記第三管理情報とが関連していることを示す第二リンク情報を含む。
【００２８】
本発明の一実施形態においては、前記第一記録領域は、前記第一情報の著作権に関する第一著作権管理情報をさらに含む。前記第二記録領域は、前記第一著作権管理情報とは独立した、前記第二情報の著作権に関する第二著作権管理情報と、前記第一著作権管理情報および前記第二著作権管理情報の両方と独立した、前記第二情報の著作権に関する第三著作権管理情報とをさらに含む。
【００２９】
本発明の一実施形態においては、前記第二記録領域は、前記第二情報と同期させて再生される同期再生情報と、前記同期再生情報の取り扱いに関する同期再生管理情報とをさらに含む。
【００３０】
本発明の一実施形態においては、前記第二管理情報は、前記第二管理情報と前記同期再生管理情報とが関連していることを示すリンク情報を含む。
【００３１】
本発明の一実施形態においては、前記リンク情報は前記同期再生管理情報の種類とファイル名とを示す。
【００３２】
本発明の一実施形態においては、前記第二記録領域は、前記第二情報の著作権に関する第一著作権管理情報と、前記同期再生情報の著作権に関する第二著作権管理情報とをさらに含む。
【００３３】
本発明の一実施形態においては、前記第一情報および前記第二情報のそれぞれは、音声情報、動画情報、静止画情報およびテキスト情報のうちの少なくとも一つを含む。
【００３４】
本発明の一実施形態においては、前記第一情報、前記第二情報および前記同期再生情報のそれぞれは、音声情報、動画情報、静止画情報およびテキスト情報のうちの少なくとも一つを含む。
【００３５】
本発明の別の局面によれば、情報記録媒体に記録された第一情報および前記第一情報に基づいて生成された第二情報のうちの少なくとも一方を再生する再生装置であって、前記情報記録媒体は、前記第一情報と前記第一情報の取り扱いに関する第一管理情報とを記録するための第一記録領域と、前記第二情報と前記第二情報の取り扱いに関する第二管理情報とを記録するための第二記録領域とを備える。前記再生装置は、前記第一情報、前記第一管理情報、前記第二情報および前記第二管理情報のうちの少なくとも一つを前記情報記録媒体から読み出す読出し部と、前記第一管理情報を解読するための第一解読情報、および前記第二管理情報を解読するための第二解読情報のうちの少なくとも一方が格納されている第一格納部と、前記第一管理情報および前記第二管理情報のうちの少なくとも一方を解読する第一解読部と、前記第一情報および前記第二情報のうちの少なくとも一方を出力する出力部とを備える。前記第一格納部に前記第一解読情報が格納されており、且つ前記第一情報を再生する場合には、前記読出し部は前記情報記録媒体から前記第一管理情報を読み出し、前記第一解読部は前記第一解読情報に基づいて前記第一管理情報を解読し、前記第一管理情報を解読した結果に基づいて、前記読出し部は前記第一情報を読み出し、前記出力部は前記第一情報を出力する。前記第一格納部に前記第二解読情報が格納されており、且つ前記第二情報を再生する場合には、前記読出し部は前記情報記録媒体から前記第二管理情報を読み出し、前記第一解読部は前記第二解読情報に基づいて前記第二管理情報を解読し、前記第二管理情報を解読した結果に基づいて、前記読出し部は前記第二情報を読み出し、前記出力部は前記第二情報を出力する。
【００３６】
本発明の一実施形態においては、前記第二情報を再生することができない場合は、前記読出し部は前記情報記録媒体から前記第一情報を読み出す。
【００３７】
本発明の一実施形態においては、前記第一情報を再生することができない場合は、前記読出し部は前記情報記録媒体から前記第二情報を読み出す、請求項２７に記載の再生装置。
【００３８】
本発明の一実施形態においては、前記再生装置は、外部電源および前記再生装置に搭載された電池のうちの少なくとも一方から供給される電力によって駆動する。前記再生装置は、電力供給元を判定する判定部をさらに備える。前記外部電源から電力が供給されていると前記判定部が判定し、且つ前記第一情報を再生する場合には、前記読出し部は前記第一情報を読み出す。前記外部電源から電力が供給されていないと前記判定部が判定した場合には、前記読出し部は前記第二情報を読み出す。
【００３９】
本発明の一実施形態においては、前記第二管理情報は、前記第一情報と前記第二情報とが関連していることを示すリンク情報を含む。前記再生装置が前記第一情報のコピー命令を受け取った場合には、前記読出し部は、前記情報記録媒体から前記リンク情報を読み出し、前記第一解読部は、前記リンク情報を解読して、前記第一情報と関連している前記第二情報を特定し、前記読出し部は前記特定された第二情報を読み出して、前記出力部は前記特定された第二情報を出力する。
【００４０】
本発明の一実施形態においては、前記第一記録領域は、前記第一情報の著作権に関する第一著作権管理情報をさらに含む。前記第二記録領域は、前記第二情報の著作権に関する第二著作権管理情報をさらに含む。前記再生装置は、前記第一著作権管理情報を解読するための第三解読情報、および前記第二著作権管理情報を解読するための第四解読情報が格納されている第二格納部と、前記第一著作権管理情報および前記第二著作権管理情報のうちの少なくとも一方を解読する第二解読部とをさらに備える。前記再生装置が前記第一情報のコピー命令を受け取り、且つ前記第一著作権管理情報が前記第一情報のコピー不許可を示している場合には、前記読出し部は、前記第二著作権管理情報を読み出し、前記第二解読部は、前記第二著作権管理情報を解読する。前記第二著作権管理情報が前記第二情報のコピー許可を示している場合には、前記読出し部は前記第二情報を読み出し、前記出力部は前記第二情報を出力する。
【００４１】
本発明の一実施形態においては、前記第一情報は第一暗号化方式で暗号化されており、前記第二情報は第二暗号化方式で暗号化されている。前記再生装置は、前記暗号化された第一情報を復号する第一復号部と、前記暗号化された第二情報を復号する第二復号部とのうちの少なくとも一方をさらに備える。
【００４２】
本発明の一実施形態においては、前記第一情報は第一暗号化方式で暗号化されており、前記第二情報は第二暗号化方式で暗号化されている。前記第一暗号化方式の一部と前記第二暗号化方式の一部とは同じアルゴリズムを有する。前記再生装置は、前記第一情報および前記第二情報のうちの前記同じアルゴリズムを用いて暗号化されているそれぞれの部分を復号する共通復号部と、前記第一暗号化方式は有するが前記第二暗号化方式は有さないアルゴリズムで暗号化されている前記第一情報の他の部分を復号する第一復号部と、前記第二暗号化方式は有するが前記第一暗号化方式は有さないアルゴリズムで暗号化されている前記第二情報の他の部分を復号する第二復号部とをさらに備える。前記第一情報を再生する場合には、前記読出し部が読み出した前記第一情報を、前記共通復号部と前記第一復号部とが復号する。前記第二情報を再生する場合には、前記読出し部が読み出した前記第二情報を、前記共通復号部と前記第二復号部とが復号する。
【００４３】
本発明の一実施形態においては、前記第二記録領域は、前記第二情報の取り扱いに関する第三管理情報をさらに含む。前記第二管理情報は、前記第一情報と前記第二情報とが関連していることを示すリンク情報を含む。
【００４４】
前記第三管理情報は、前記リンク情報を含まない。前記第一格納部は、前記第一解読情報および前記第二解読情報のうちの少なくとも一方と、前記第三管理情報を解読するための第三解読情報とを格納する。前記第二情報を再生する場合には、前記第二管理情報および前記第三管理情報のうちの少なくとも一方を解読した結果に基づいて、前記読出し部は前記第二情報を読み出す。
【００４５】
本発明の一実施形態においては、前記第二記録領域は、前記第二情報と同期させて再生される同期再生情報と、前記同期再生情報の取り扱いに関する同期再生管理情報とをさらに含む。前記第二管理情報は、前記第二管理情報と前記同期再生管理情報とが関連していることを示すリンク情報を含む。前記第一格納部は、前記同期再生管理情報を解読するための第三解読情報をさらに格納する。前記第二情報を再生する場合には、前記読出し部は、前記第二管理情報と前記同期再生管理情報とを読み出し、前記第一解読部は、前記第二管理情報と前記同期再生管理情報とを解読し、前記第二管理情報と前記同期再生管理情報とを解読した結果に基づいて、前記読出し部は前記第二情報と前記同期再生情報とを読み出し、前記出力部は前記第二情報と前記同期再生情報とを同期させて出力する。
【００４６】
本発明の一実施形態においては、前記第二記録領域は、複数の前記第二情報を含む。前記複数の第二情報は互いに属性が異なる。前記再生装置は、再生条件およびコピー条件のうちの少なくとも一方に基づいて前記複数の第二情報のうちの一つを選択する選択部をさらに備える。前記読出し部は、前記選択された第二情報を読み出す。
【００４７】
本発明の一実施形態においては、前記第一情報および前記第二情報のそれぞれは、音声情報、動画情報、静止画情報およびテキスト情報のうちの少なくとも一つを含む。
【００４８】
本発明の一実施形態においては、前記第一情報、前記第二情報および前記同期再生情報のそれぞれは、音声情報、動画情報、静止画情報およびテキスト情報のうちの少なくとも一つを含む。
【００４９】
このように、ここに記載された発明は、コンテンツの高速コピーおよび長時間再生を実現するために、複数の異なるタイプのコンテンツを有する、様々な条件に従って異なって使用される情報記録媒体、およびその再生装置の提供の利点を可能にする。
【００５０】
本発明のこれらのおよび別の利点は、添付の図面を参照した詳細な記載を読み、理解することによって、当業者にとって明らかとなろう。
【発明を実施するための最良の形態】
【００５１】
以下、本発明を図面と共に詳細に説明する。
【００５２】
（実施の形態１）
本発明の情報記録媒体は複数の領域に分かれており、それぞれの領域に管理情報ファイルと、音声データファイルと、著作権管理情報ファイルとを備える。図１は、本発明の実施の形態の情報記録媒体であるＤＶＤ−Ａｕｄｉｏ  Ｄｉｓｃ１００を示す。ＤＶＤ−Ａｕｄｉｏ  Ｄｉｓｃ１００は、ＤＶＤ−Ａｕｄｉｏ  Ｚｏｎｅ１０１とＯｔｈｅｒ  Ｚｏｎｅ１０２とを備える。
【００５３】
ＤＶＤ−Ａｕｄｉｏ  Ｚｏｎｅ１０１には、１つ以上の曲を示す音声データを含む第一の音声データ群ファイル１１１、１１２と、その第一の音声データ群ファイル１１１、１１２の取り扱いを管理している第一の管理情報ファイル１１０とが記録されている。
【００５４】
Ｏｔｈｅｒ  Ｚｏｎｅ１０２には、それぞれが１曲を示す第二の音声データファイル１２１、１２２、１２３と、第二の音声データファイル１２１、１２２、１２３の取り扱いに関する第二の管理情報ファイル１２０と、第二の音声データファイル１２１、１２２、１２３のそれぞれが示す曲の著作権に関する第二の著作権管理情報ファイル１２４とが記録されている。
【００５５】
具体的には、図２に示すように、第一の管理情報ファイル１１０と第一の音声データ群ファイル１１１、１１２はＡＵＤＩＯ  ＴＳディレクトリに記録されている。第二の管理情報ファイル１２０と、第二の著作権管理情報ファイル１２４と、第二の音声データファイル１２１、１２２、１２３とはＲｏｏｔディレクトリに記録されている。第一の管理情報ファイル１１０は、第一の音声データ群ファイル１１１、１１２の著作権に関する第一の著作権管理情報１１４を含む。
【００５６】
なお、Ｒｏｏｔディレクトリに属するさらなるディレクトリを作成し、そのディレクトリに、第二の管理情報ファイル１２０、第二の著作権管理情報ファイル１２４、第二の音声データファイル１２１、１２２、１２３を記録してもよい。
【００５７】
なお、図中の記号＃ａ（ａは整数）は各情報グループの中の通し番号を示している。通し番号は例えば曲順を示している。
【００５８】
第一の音声データ群ファイルに含まれる音声データから第二の音声データファイルが生成される。ここで、第二の音声データファイル１２１、１２２、１２３は、第一の音声データ群ファイル１１１、１１２に含まれる音声データを所定の記録方式を用いて変換した音声データである。例えば、第一の音声データ群ファイル１１１に含まれる１曲を示す音声データの記録方式がリニアＰＣＭであり、その音声データを記録方式ｍｐ３を用いて圧縮した音声データが第二の音声データファイル１２１である。なお、各第二の音声データファイル間での記録方式は異なっていてもよく、ある第二の音声データファイルは記録方式ｍｐ３を用いて記録されており、別の第二の音声データは記録方式ＡＡＣを用いて記録されていてもよい。
【００５９】
また、図３に示すように、第一の音声データ群ファイルが示す各曲と、第二の音声データファイルとはリンク付けされている。このような第一の音声データ群ファイルが示す曲と第二の音声データファイルとが関連していること（すなわちリンク付け）を示すリンク情報１２５は第二の管理情報ファイル１２０に含まれている。
【００６０】
第二の管理情報ファイル１２０に含まれている具体的な第二の管理情報の一例を図４Ａに示す。図４Ａに示す第二の管理情報３２０は、一般情報３２１と、第二の曲情報３２２、３２３とを含む。
【００６１】
第二の曲情報３２２、３２３は、Ｏｔｈｅｒ  Ｚｏｎｅ１０２に記録されている各第二の音声データファイルが示す曲の情報を示す。第二の曲情報３２２、３２３は、一般情報３２４と、リンク情報３２５と、テキスト情報３２６と、第二の音声データファイル情報３２７、３２８を含む。第二の音声データファイル情報３２７、３２８は、対応する曲を示す第二の音声データファイルに関する情報である。テキスト情報３２６は、曲名やアーティスト名等などを示す。リンク情報３２５によって、対応する第二の音声データファイルの生成元となった第一の音声データ群ファイル中の曲を特定することができる。
【００６２】
ＤＶＤ−Ａｕｄｉｏ  Ｄｉｓｃ１００では、各曲がグループ番号とトラック番号とで一意に識別される。第一の管理情報ファイルは、第一の音声データ群ファイルが示す各曲を特定するためのグループ番号とトラック番号とを含んでいる。リンク情報３２５は、生成元の曲のグループ番号３２９およびトラック番号３３０と、対応する第二の音声データファイルの識別番号３３１とを含む。
【００６３】
なお、リンク情報３２５は、グループ番号とトラック番号とを含む代わりに、生成元の曲の記録開始物理アドレスと記録終了物理アドレスとを含んでもよい。また、リンク情報３２５は、グループ番号、トラック番号、記録開始物理アドレス、記録終了物理アドレスの全てを含んでもよい。また、ＤＶＤ−Ａｕｄｉｏ  Ｄｉｓｃだけでなく、他のアプリケーションや情報記録媒体に本発明が適用されてもよく、その場合、曲を特定するための情報は、そのアプリケーションまたは情報記録媒体の中で曲を一意に特定できる情報であれば何であっても良い。
【００６４】
第二の音声データファイル情報３２７、３２８は、一般情報３３２と、ファイル名３３３と、属性情報３３４と、暗号化方式３３５とを含む。
【００６５】
属性情報３３４は、音声データの属性（例えば、記録方式、圧縮率、チャンネル数、サンプリング周波数、量子化ビット数、ビットレート、再生時間など）を示す。暗号化方式３３５は、対応するファイルの暗号化に用いられる暗号化方式を特定するための情報を示し、各ファイル毎に暗号化方式を変えることができる。さらには、２重暗号のように、ファイルが複数の暗号化方式で暗号化されていることを示すこともできる。例えば、暗号化方式を特定するＩＤ（１ｂｙｔｅｓ）が図５のように定義されている（００ｈ：暗号化なし、０１ｈ：暗号化方式Ａで暗号化、０２ｈ：暗号化方式Ｂで暗号化、１０ｈ：暗号化方式Ａで暗号化してその後暗号化方式Ｂで暗号化、Ｏｔｈｅｒｓ：Ｒｅｓｅｒｖｅｄ）。この例では、対応する第二の音声データファイルが、最初に暗号化方式Ａで暗号化され、さらにその後、暗号化方式Ｂで暗号化されている場合には、暗号化方式３３５は１０ｈを示す。
【００６６】
なお、暗号化方式は、第二の音声データファイル情報に含まれてもよいが、第二の曲著作権管理情報に含まれてもよい（第二の曲著作権管理情報の詳細については後述する）。
【００６７】
一つの第二の曲情報は、属性（記録方式、圧縮率、チャンネル数、サンプリング周波数、量子化ビット数、ビットレート、再生時間など）が互いに異なる複数の音声データファイルを管理してもよい。例えば、第一の音声データ群ファイルが示す一つの曲（生成元の曲）から、複数種類の記録方式（ｍｐ３、ＡＡＣ等）のそれぞれで圧縮した複数の音声データファイルを生成し、Ｏｔｈｅｒ  Ｚｏｎｅ１０２に記録してもよい。第二の曲情報は、複数の第二の音声データファイル情報を含み、複数の音声データファイルのそれぞれを管理する。このような管理の一例を図８を参照して説明する。
【００６８】
図８に示す第二の管理情報４２０は、第二の曲情報４２１と、第二の曲情報４２２とを含む。第二の曲情報４２１は、ｍｐ３で圧縮された一つの第二の音声データファイル４２６を管理するための第二の音声データファイル情報４２３を含んでいる。第二の曲情報４２２は、ｍｐ３で圧縮された第二の音声データファイル４２７を管理するための第二の音声データファイル情報４２４と、ＡＡＣで圧縮された第二の音声データファイル４２８を管理するための第二の音声データファイル情報４２５とを含む。第二の音声データファイル４２７および第二の音声データファイル４２８は、生成元の曲は同一だが、属性（例えば、記録方式）が互いに異なる。第二の曲情報４２２を用いることにより、互いに属性の異なる二つの第二の音声データファイルを管理することができる。
【００６９】
複数の音声データファイルは、互いに属性は同じだが、暗号化方式が異なっていてもよい。例えば、複数の音声データファイルのうちのある音声データファイルは一つの暗号化方式によって暗号化されており、別の音声データファイルは複数の暗号化方式によって暗号化されていてもよい。そのような複数の音声データファイルも同じ第二の曲情報を用いて管理しても良い。
【００７０】
複数の音声データファイルには、互いに異なる著作権が適用されてもよく、そのような複数の音声データファイルを同じ第二の曲情報を用いて管理しても良い。
【００７１】
このように、ＤＶＤ−Ａｕｄｉｏ  Ｚｏｎｅ１０１に記録された一つの曲に対して、互いに異なる属性（または互いに異なる暗号化方式または著作権）の複数の音声データファイルをＯｔｈｅｒ  Ｚｏｎｅ１０２に記録しておけば、再生やコピーの際に、再生装置は、種々の条件に応じて、複数の音声データファイルの中から最適な音声データファイルを選択して利用することが可能となる。例えば、ある第二の曲情報によって、リニアＰＣＭ、ｍｐ３、ＡＡＣのそれぞれの記録方式で記録された複数の第二の音声データファイルを管理されている場合について説明する。再生装置が高音質な第二の音声データファイルを再生しようとする場合には、記録方式がリニアＰＣＭの第二の音声データファイルを再生する。また、再生装置が再生可能な記録方式を選択して第二の音声データファイルを選択することもある。例えば、再生装置がｍｐ３の音声データのみ再生可能であれば、記録方式がｍｐ３の第二の音声データファイルを選択して再生することになる。一方、再生装置に接続されたアンプ等の外部機器で音声データを再生する場合、その外部機器が再生できる記録方式の音声データを選択し、外部機器に出力することもある。例えば、外部機器が、記録方式がＡＡＣの音声データのみ再生可能である場合は、記録方式がＡＡＣの第二の音声データファイルを選択して出力することになる。また、再生装置がインターネットや有線ＬＡＮおよび無線ＬＡＮに接続されており、接続先の機器で再生しようとする場合は、圧縮された第二の音声データファイルを選択して出力することもある。また、再生装置に接続された複数の外部機器で同時に曲を再生する場合、転送レート等の問題により、圧縮された第二の音声データファイルを選択して出力することもある。
【００７２】
再生装置が第二の音声データファイルをコピーのために出力する場合、コピー条件に応じて最適な第二の音声データファイルを選択して出力することも可能である。例えば、記録方式がそれぞれリニアＰＣＭ、ｍｐ３、ＡＡＣである複数の第二の音声データファイルが第二の曲情報によって管理されており、コピー先の情報記録媒体がｍｐ３にのみ対応している場合は、記録方式がｍｐ３の第二の音声データファイルを選択して出力することになる。また、高速コピーを行いたい場合は、最もデータ量の小さい、つまり圧縮率の高い音声データファイルを選択することになる。
【００７３】
リンク情報は、第二の曲情報とは別々に第二の管理情報に含まれていても良い。例えば、図６に示す第二の管理情報３５０は、一般情報３５１と、リンク群情報３５２と、第二の曲情報３５３、３５４とを含んでいる。第二の管理情報３５０は、第二の曲情報３５３、３５４とは別々にリンク群情報３５２を含んでいる。
【００７４】
リンク群情報３５２は、一般情報３５５ａと、グループリンク情報３５５ｂ、３５５ｃを含む。グループリンク情報３５５ｂ、３５５ｃは、一般情報３５６と、曲リンク情報３５７、３５８とを含む。曲リンク情報は、ＤＶＤ−Ａｕｄｉｏ  Ｚｏｎｅ１０１に記録された各曲とリンク付けされている第二の音声データファイルを特定する情報（例えばＤＶＤ−Ａｕｄｉｏ規格で定義されている情報）を含む。例えば、グループリンク情報３５５ｂの曲リンク情報３５７は、ＤＶＤ−Ａｕｄｉｏ  Ｚｏｎｅ１０１内のグループナンバー１のトラックナンバー１と、そのナンバーとリンクされる第二の音声データファイルの曲番号（第二の曲番号３５９）を含む。なお、ＤＶＤ−Ａｕｄｉｏ  Ｚｏｎｅ１０１内の曲とリンクされる第二の音声データファイルが存在しない場合、第二の曲番号として決められた値、例えば０が記録されることになる。なお、第二の管理情報に関して、複数の曲をまとめるグループやプレイリストなどの概念が導入されている場合、ＤＶＤ−Ａｕｄｉｏ  Ｚｏｎｅ１０１内のあるグループに対応するＯｔｈｅｒ  Ｚｏｎｅ１０２内のグループおよびプレイリスト番号を、一般情報３５６に含めておき、曲リンク情報の第二の曲番号として、Ｏｔｈｅｒ  Ｚｏｎｅ１０２の該当するグループおよびプレイリスト内での曲番号を記録してもよい。なお、曲リンク情報には、Ｏｔｈｅｒ  Ｚｏｎｅ１０２のある曲を特定できる情報であれば何でもよく、第二の曲番号以外の情報が記録されてもよい。
【００７５】
第二の音声データファイルのファイル名は何でもよいが、生成元の曲を識別できる名称と、第二の音声データファイルの記録方式とを認識できる拡張子をファイル名につけることが望ましい。例えば、ＤＶＤ−Ａｕｄｉｏ  Ｚｏｎｅ１０１内のグループ番号が２で、トラック番号が３である曲を、ｍｐ３で圧縮して第二の音声データファイルを生成した場合、そのファイル名は、ＧＲ２  ＴＫ０３．ｍｐ３とすることが望ましい。この場合、逐一第二の管理情報を解読しなくとも、ファイル名を見るだけで、生成元の曲を一意に特定することができ、さらには、記録方式も特定することが可能となる。
【００７６】
なお、第二の曲情報は、ＤＶＤ−Ａｕｄｉｏ  Ｚｏｎｅ１０１に記録された曲から生成される曲の他に、ＤＶＤ−Ａｕｄｉｏ  Ｚｏｎｅ１０１には記録されていない曲を管理してもよい。この場合、第二の曲情報に含まれるグループ番号やトラック番号には、ＤＶＤ−Ａｕｄｉｏ  Ｚｏｎｅ１０１に記録された曲とは違う曲であることを示すデータを記録しておく。例えば、全て０のデータまたは全て１のデータなどを記録しておく。また、この場合の第二の音声データファイルのファイル名は、拡張子部分はその記録方式にすることが望ましいが、拡張子以外の部分は何の名称であってもよい。しかしながら、新しい曲であることを示すＮＥＷ  ＴＫと通し番号とがファイル名に付加されることが望ましい。例えば、ｍｐ３で記録された第二の音声データファイルの場合、そのファイル名としては、ＮＥＷ  ＴＫ０１．ｍｐ３となることが望ましい。
【００７７】
第二の音声データファイルのファイル名をあるルールに従って記述するようにしておけば、第二の音声データファイル情報に含まれているファイル名を参照しなくても、第二の音声データファイル情報が管理している第二の音声データファイルを特定することができる。例えば、上述のＧＲ２  ＴＫ０３．ｍｐ３のように、第二の音声データファイルのファイル名は、必ずグループ番号とトラック番号と記録方式名からなるように決めておけば、第二の曲情報のリンク情報に含まれているグループ番号とトラック番号と、第二の音声データファイル情報の属性情報が示す記録方式から、該当する第二の音声データファイルのファイル名を特定することができる。
【００７８】
別のファイル名の記述方法として、ある共通の文字列を決めておき、また、各第二の音声データファイル情報に正数の通し番号を付与しておいて、ファイル名を共通の文字列と通し番号とからなるようにしておいても良い。例えば、共通の文字列をＡＵＤＩＯとし、ある第二の音声データファイル情報に付与されている正数の通し番号が１４である場合、その第二の音声データファイル情報が管理する第二の音声データファイルのファイル名は、ＡＵＤＩＯ１４という文字列と、拡張子とからなるようにしておく。ＡＵＤＩＯ１４に付与される拡張子は何であってもよい。
【００７９】
あるルールに従って第二の音声データファイルのファイル名を記述するように決めておけば、第二の音声データファイル情報のファイル名を参照しなくても、該当する第二の音声データファイルを特定することができる。この場合は、第二の音声データファイルのファイル名を管理情報に含めておかなくてもよい。もちろん、このような場合であっても、管理情報にファイル名を含めておいてもよい。
【００８０】
また、ファイル名から、暗号化されている第二の音声データファイルか否かを確認できるようにしてもよい。例えば、暗号化されているファイルなら、ＳＡ（Ｓｅｃｕｒｅ  Ａｕｄｉｏという意味）という文字をファイル名の拡張子に含むようにし、暗号化されていないファイルなら記録方式が特定できる拡張子（例えばｍｐ３などの文字）を含むようにする。この結果、ファイル名を確認するだけで、ファイルが暗号化されているか否かを判断することができ、第二の管理情報ファイル１２０を解読できない再生装置であっても、再生可能なファイル、つまり暗号化されていなく、かつ復号可能な記録方式のファイルを特定することが可能となる。
【００８１】
Ｏｔｈｅｒ  Ｚｏｎｅ１０２には、第二の音声データファイルの著作権を管理するための第二の著作権管理情報ファイル１２４が記録されている。図４Ｂに、第二の著作権管理情報ファイル１２４に含まれる第二の著作権管理情報３４０の一例を示す。第二の著作権管理情報３４０は、一般情報３４１と、各曲の著作権管理情報を示す第二の曲著作権管理情報３４２、３４３とを含む。
【００８２】
なお、第二の曲著作権管理情報の記録順は、第二の管理情報に含まれている第二の曲情報の記録順と同じである。つまり、第二の曲情報（＃１）が管理する曲の著作権情報は、第二の曲著作権管理情報（＃１）に含まれることになる。
【００８３】
第二の曲著作権管理情報は、一般情報３４５と、該当曲を識別するための固有番号（固有情報）を示すコンテンツＩＤ  ３４６と、コピー条件を定義するコピー管理情報３４７と、再生可能条件を定義する再生制限情報３４８と、トランザクション情報３４９とを含む。トランザクション情報３４９は、他システムと認証すれば、第二の曲著作権管理情報で指定された以外の処理を行うことが可能か否かを示すフラグとその処理内容（例えば、第二の曲著作権管理情報の内容とは異なる著作権管理情報を第二の音声データファイルに適用する処理）とを含む。
【００８４】
コンテンツＩＤ  ３４６は、例えばＩＳＲＣ（Ｉｎｔｅｒｎａｔｉｏｎａｌ  Ｓｔａｎｄａｒｄ  Ｒｅｃｏｒｄｉｎｇ  Ｃｏｄｅ）を含む。コピー管理情報３４７は、コピー可否情報と、コピー可能回数と、コピーが許可される品質（例えばコピーが許可される最大ビットレート）と、コピーが許可されるコピー先の情報記録媒体やシステムを指定するコピー先指定情報とのうちの少なくとも一つを含む。また、コピー管理情報３４７は、移動許可情報やチェックインアウト許可情報、チェックアウト可能回数も記録されてよい。なお、移動とは、ある情報記録媒体に記録された曲が別の情報記録媒体にコピーされた場合に、コピー元の情報記録媒体からその曲が削除されることを意味する。また、チェックインアウトとは、チェックアウトと呼ばれるコピー手段とチェックインと呼ばれるコピー手段とを用いてコンテンツのコピーを管理することである。チェックアウトとは、他の情報記録媒体にコピーされた曲が、さらに別の情報記録媒体にコピーされたときに、コピー元の情報記録媒体に記録されているカウンタ値を１減算することである。なお、初期カウンタ数は、チェックアウト可能回数で指定される。また、このカウンタが０になれば、チェックアウトはできない。また、チェックインとは、チェックアウトされた曲をコピー先の情報記録媒体から削除し、コピー元の情報記録媒体にあるカウンタ値を１加算することである。
【００８５】
再生制限情報３４８は、再生可能回数、再生可能期日、再生可能時間、曲の中の再生可能部分、再生するためのパスワード情報、再生が許可される国や地域などを示す再生許可地域情報、同時に再生してもよい再生装置数を指定する同時再生可能機器数などを示す。
【００８６】
暗号化方式は、第二の音声データファイル情報に含まれてもよいが、第二の曲著作権管理情報に含まれてもよい。
【００８７】
図４Ａおよび図４Ｂのデータ構造によると、ある第二の曲情報が複数の第二の音声データファイルを管理している場合であっても、その全ての第二の音声データファイルに同一の著作権管理情報しか適用することができない。しかし、同一の第二の曲情報が管理する複数の第二の音声データファイルのそれぞれに、異なる著作権管理情報を適用するようにしてもよい。
【００８８】
一例として、図７Ａに、ファイル別著作権管理を行うための第二の曲著作権管理情報３６０を示す。第二の曲著作権管理情報３６０は、一般情報３６１と、第二の音声データファイル著作権管理情報３６２、３６３とを含む。第二の音声データファイル著作権管理情報３６２、３６３のそれぞれは、各曲毎の著作権を管理する。第二の音声データファイル著作権管理情報３６２、３６３は、一般情報３６４と、コンテンツＩＤ  ３６５と、コピー管理情報３６６と、再生制限情報３６７と、トランザクション情報３６８とを含む。第二の曲著作権管理情報３６０を用いれば、各音声データファイルの著作権を別々に定義することが可能となる。
【００８９】
図７Ａの第二の音声データファイル著作権管理情報の記録順は、図４Ａの第二の音声データファイル情報の記録順と同じになる。つまり、第二の音声データファイル情報（＃１）で管理される音声データの著作権管理情報は、第二の音声データファイル著作権管理情報（＃１）に含まれる。
【００９０】
図７Ｂは、種類別著作権管理を行うための第二の曲著作権管理情報３７０を示す。第二の曲著作権管理情報３７０は、一般情報３７１と、種類別著作権管理情報３７２、３７３とを含む。種類別著作権管理情報３７２、３７３は、一般情報３７９と、音声データファイル名３７４と、コンテンツＩＤ  ３７５と、コピー管理情報３７６と、再生制限情報３７７と、トランザクション情報３７８とを含む。
【００９１】
種類別著作権管理では、著作権管理情報の必要な種類だけ、第二の曲著作権管理情報３７０に含まれる。具体的には、第二の曲著作権管理情報が少なくとも一つの種類別著作権管理情報を含み、各種類別著作権管理情報には、具体的な著作権管理情報と、その著作権管理情報が適用される第二の音声データファイルのファイル名とが含まれる。
【００９２】
この結果、音声データファイル毎に著作権管理情報を適用できるため、再生時やコピー時の条件等も様々に定義することも可能となり、種々の条件に応じて再生やコピーに利用する音声データファイルを選択することが可能となる。
【００９３】
本発明に従えば、情報記録媒体を複数（例えば二つ）の領域に分け、第一の著作権管理情報とは独立した第二の著作権管理情報を第二の音声データファイルに適用する。仮に、図９に示すようにＤＶＤ−Ａｕｄｉｏ  Ｚｏｎｅ１０１に記録されている曲がコピー禁止であっても、Ｏｔｈｅｒ  Ｚｏｎｅ１０２に記録されている曲はコピー許可と定義してもよい。例えば、ＤＶＤ−Ａｕｄｉｏ  Ｚｏｎｅ１０１に記録されている曲が高音質である場合、音楽会社は高音質な曲はコピーさせたくないため、ＤＶＤ−Ａｕｄｉｏ  Ｚｏｎｅ１０１に記録されているの曲をコピー禁止と設定し得る。しかしながら、ＤＶＤ−Ａｕｄｉｏ  Ｄｉｓｃ１００から曲がコピーできないのは、ユーザにとって利便性に欠けるものとなる。従って、ＤＶＤ−Ａｕｄｉｏ  Ｚｏｎｅ１０１に記録されている音声データを圧縮して品質を落とし、その圧縮された音声データをＯｔｈｅｒ  Ｚｏｎｅ１０２に記録する。Ｏｔｈｅｒ  Ｚｏｎｅ１０２内の圧縮された音声データのコピーを許可しておけば、ＤＶＤ−Ａｕｄｉｏ  Ｄｉｓｃ１００から圧縮された音声データをコピーすることができ、ユーザの利便性を損なってしまう問題は起こらない。
【００９４】
ＤＶＤ−Ａｕｄｉｏ  Ｚｏｎｅ１０１内の曲とＯｔｈｅｒ  Ｚｏｎｅ１０２内の曲とで異なる著作権管理情報を適用する場合、第一の音声データ群ファイルと第二の音声データファイルには異なる暗号化方式で暗号化をしておく。仮に、同じ暗号化方式を用いてＤＶＤ−Ａｕｄｉｏ  Ｚｏｎｅ１０１内の曲とＯｔｈｅｒ  Ｚｏｎｅ１０２内の曲とを暗号化している場合、Ｏｔｈｅｒ  Ｚｏｎｅ１０２内の曲だけを再生するための復号方式に関してライセンス供与を受けたとしても、同じ復号方式を用いればＤＶＤ−Ａｕｄｉｏ  Ｚｏｎｅ１０１内の曲も復号することができてしまい、不正にＤＶＤ−Ａｕｄｉｏ  Ｚｏｎｅ１０１内の曲を再生したりコピーしたりすることができてしまう可能性がある。このため、ＤＶＤ−Ａｕｄｉｏ  Ｚｏｎｅ１０１内の曲を暗号化する第一の暗号化方式と、Ｏｔｈｅｒ  Ｚｏｎｅ１０２内の曲を暗号化する第二の暗号化方式とを異なる方式にしておく。もちろん、全く異なる方式にする必要は無く、第一の暗号化方式の暗号化アルゴリズムの一部と第二の暗号化方式の暗号化アルゴリズムの一部とが同じであってもよい。暗号化アルゴリズムの一部を共有したほうが、全く異なる２つの復号方式を再生装置に実装する必要も無くなるため、再生装置への実装負担も低減される。また、第一の暗号化方式と第二の暗号化方式とは共通の情報を用いた暗号化処理を含んでもよい。例えば、暗号鍵や復号鍵、またはそれらの鍵を生成するための暗号化鍵生成情報および復号化鍵生成情報は、ＤＶＤ−Ａｕｄｉｏ  Ｚｏｎｅ１０１内の曲に適用される暗号化方式および復号化方式と、Ｏｔｈｅｒ  Ｚｏｎｅ１０２内の曲に適用される暗号化方式および復号化方式とで共有してもよい。
【００９５】
コピーフリーの曲に関しては、暗号化していてもよいが、暗号化していなくてもよい。
【００９６】
ＤＶＤ−Ａｕｄｉｏ  Ｚｏｎｅ１０１内に記録された曲を示す第一の音声データは、非圧縮情報および可逆圧縮情報のうちの一方であり得る。Ｏｔｈｅｒ  Ｚｏｎｅ１０２内に記録された曲を示す第二の音声データファイルは、第一の音声データが非圧縮情報である場合は、第一の音声データを非可逆圧縮した情報であり得る。また、第一の音声データが可逆圧縮情報である場合は、第二の音声データファイルは、第一の音声データを復号することにより生成した非圧縮情報を非可逆圧縮した情報であり得る。
【００９７】
Ｏｔｈｅｒ  Ｚｏｎｅ１０２には、第二の音声データファイルの取り扱いを管理するための管理情報を複数記録してもよい。図１０に示す例では、Ｏｔｈｅｒ  Ｚｏｎｅ１０２には、必ず記録される第二の管理情報ファイル１２０と、それ以外の管理情報である第三の管理情報ファイル５３０、５４０とが記録される。この例では、第二の管理情報ファイル１２０は、第三の管理情報に関する情報を含む。一例として、図１１に示す第二の管理情報６２０は、第二の管理情報３２０（図２）が含む情報に加えて、第三の管理情報に関する第三の管理情報関連情報６２２、６２３を含む。第三の管理情報関連情報６２２、６２３は、関連している第三の管理情報のファイル名６２４を含む。第三の管理情報関連情報６２２、６２３は、第二の管理情報と関連している第三の管理情報を示すリンク情報として用いられる。なお、第三の管理情報のデータ構造は何でもよく、また、第二の音声データファイルと第一の音声データ群ファイルに記録されている曲とのリンク付けを示すリンク情報を含む必要はない。
【００９８】
図１０に示すＯｔｈｅｒ  Ｚｏｎｅ１０２には、第三の管理情報ファイル５３０に対応した第三の著作権管理情報５３４と、第三の管理情報ファイル５４０に対応した第三の著作権管理情報５４４とが記録されている。このように、Ｏｔｈｅｒ  Ｚｏｎｅ１０２に複数の第三の管理情報ファイルが記録されている場合は、それぞれの第三の管理情報ファイルに対応した第三の著作権管理情報ファイルを記録する。第三の著作権管理情報５３４、５４４は、第一および第二の著作権管理情報１１４および３４０の両方から独立した、第二の音声データファイルの著作権に関する情報である。第三の著作権管理情報５３４、５４４は、第一および第二の著作権管理情報１１４および３４０とは異なる著作権を第二の音声データファイルに適用することができる。
【００９９】
複数の第三の管理情報ファイルが、一つの第三の著作権管理情報を共用することが出来る場合は、必ずしも第三の著作権管理情報ファイルを複数記録する必要はない。さらに、全ての第三の管理情報ファイルの内容が第二の著作権管理情報ファイルと共用できる内容である場合は、第三の著作権管理情報ファイルを記録する必要はない。
【０１００】
本発明によれば、Ｏｔｈｅｒ  Ｚｏｎｅ１０２に複数の管理情報を記録することにより、より多くの再生装置でＤＶＤ−Ａｕｄｉｏ  Ｄｉｓｃ１００を再生することが可能となる。例えば、既に発売されている再生装置がＤＶＤ−Ａｕｄｉｏ  Ｚｏｎｅ１０１に記録された曲の再生が出来ない場合がある。しかしながら、Ｏｔｈｅｒ  Ｚｏｎｅ１０２にその再生装置が解読できる管理情報を記録しておけば、その再生装置でもＤＶＤ−Ａｕｄｉｏ  Ｄｉｓｃ１００の再生が可能となる。また、ＤＶＤ−Ａｕｄｉｏ  Ｚｏｎｅ１０１へのリンク情報を持たない第三の管理情報を記録しておけば、ＤＶＤ−Ａｕｄｉｏ  Ｄｉｓｃ１００のデータ構造を理解する必要がないため、第三の管理情報のみを解読できる再生装置の実装が簡単になる。また、そのような再生装置は、ＤＶＤ−Ａｕｄｉｏ関連のライセンスを取得する必要がなく、ライセンスコストが高くつくという問題も解決される。
【０１０１】
第二の管理情報は、第二の音声データファイルと同期させて再生させる同期再生情報の取り扱いを管理するための同期再生管理情報ファイルに関する情報を含んでもよい。これにより、第二の音声データと同期再生情報とを同期させて再生することが可能となる。例えば、音声データの再生中に、スライドショーなどのように関連する静止画データを表示させることが可能となる。
【０１０２】
図１２に示すＯｔｈｅｒ  Ｚｏｎｅ１０２は、同期再生情報である静止画データファイル７３１、７３２、７３３と、静止画データファイル７３１、７３２、７３３の著作権を管理するための同期再生情報著作権管理情報ファイル７３４と、静止画データファイル７３１、７３２、７３３が示す静止画の表示方法を管理する同期再生管理情報ファイル７３０とを含む。この例では、第二の管理情報８２０は、図１３のように、同期再生管理情報関連情報８２２、８２３を含む。同期再生管理情報関連情報８２２、８２３は、同期再生管理情報ファイル名８２５とその同期再生管理情報の種類を示す管理情報種別８２４とを含む。同期再生管理情報関連情報８２２、８２３は、第二の管理情報と同期再生管理情報ファイルとが関連していることを示すリンク情報として用いられる。
【０１０３】
管理情報種別８２４は、主に、再生装置がその同期再生管理情報を解読可能か否かを判断するために用いられる。なお、同期再生管理情報ファイル名８２５は、該当ファイルを検索するために使用されるが、あらかじめ同期再生管理情報ファイルのファイル名のつけ方のルールを決めておけば、ファイルを検索するために同期再生管理情報ファイル名８２５を参照する必要はない。この場合、同期再生管理情報関連情報は第二の管理情報に含まれていなくてもよい。もちろん、このような場合であっても、同期再生管理情報関連情報が第二の管理情報ファイルに含まれいてもよい。
【０１０４】
図１２に示す例では、ある通し番号（例えば＃１）が付与された第二の音声データファイルの再生中に、同じ通し番号（例えば＃１）が付与された静止画データファイルが再生されることを仮定しているが、この形式に限る必要はない。全ての静止画データが一つのファイルに記録されていてもよい。また、同期再生管理情報ファイル７３０や同期再生情報著作権管理情報ファイル７３４のデータ構造は何であっても良い。さらに、同期再生管理情報ファイル７３０と同期再生情報著作権管理情報ファイル７３４と静止画データファイル７３１−７３３は、図１４のように、第二の管理情報ファイルや第二の著作権管理情報ファイル、第二の音声データファイルと同じディレクトリに記録されてもよいが、異なるディレクトリに記録されてもよい。また、同期再生情報著作権管理情報ファイル７３４は、同期再生管理情報ファイル７３０の中に含まれていてもよい。また、同期再生管理情報ファイル７３０が管理するデータが静止画データではなく、音声情報、動画情報、テキスト情報などであってもよい。さらに、同期再生管理情報は複数記録されていてもよい。
【０１０５】
本発明では、第一の音声データ群ファイルおよび第二の音声データファイルのそれぞれが含む音声データの代わりに、動画情報、静止画情報、テキスト情報などがＤＶＤ−Ａｕｄｉｏ  Ｄｉｓｃ１００に記録されてもよい。また、第二の管理情報と第二の著作権管理情報とはそれぞれ別ファイルに記録されてもよいし、一つのファイルに記録されていてもよい。一つのファイルに記録される場合、第二の管理情報の末尾に第二の著作権管理情報が追加されるように記録されてもよいし、各第二の曲情報の中に、該当する第二の曲著作権管理情報が記録されるようになっていてもよい。
【０１０６】
同様にして、第三の管理情報と、それに対応する第三の著作権管理情報も、それぞれ異なるファイルに記録されてもよいし、一つのファイルに記録されていてもよい。また、第二の管理情報と第三の管理情報が１つのファイルに記録され、第二の著作権管理情報と第三の著作権管理情報とが一つのファイルに記録されてもよい。なお、この場合は、図１１に示す第三の管理情報関連情報は、該当する第三の管理情報の先頭アドレスを示すことになる。
【０１０７】
全ての管理情報と全ての著作権管理情報とが一つのファイルに記録されていてもよい。なお、複数の管理情報や著作権管理情報が一つのファイルに記録される場合は、そのファイルに、各管理情報や著作権管理情報の先頭アドレスを示す情報が記録されることになる。また、Ｏｔｈｅｒ  Ｚｏｎｅ１０２に記録される音声データは、それぞれ異なる第二の音声データファイルに記録されてもよいし、すべて一つのファイルに記録されていてもよい。また、第二の曲管理情報で管理する音声データごとに１つのファイルで記録するようにしてもよい。さらには、各管理情報が管理する音声データごとに１つのファイルに記録してもよい。なお、複数の音声データを１つのファイルに記録した場合、図４Ａの第二の音声データファイル情報に含まれるファイル名として、該当する音声データの記録開始アドレスと記録終了アドレスとが記録されることになる。このように、複数の情報や管理情報および著作権管理情報を少ないファイルに記録しておくと、再生装置のファイルアクセス回数が少なくなるため、再生やコピー開始までのユーザの待ち時間が少なくなる。
【０１０８】
本実施の形態で示すＯｔｈｅｒ  Ｚｏｎｅ１０２は、ＤＶＤ−Ａｕｄｉｏ  Ｄｉｓｃ１００のＡｕｄｉｏ  ＴＳディレクトリ以外の領域を意味している。さらに、本実施の形態では、ＤＶＤ−Ａｕｄｉｏ  Ｄｉｓｃに限定して説明しているが、本発明は他の情報記録媒体やアプリケーションに適用してもよく、例えば、ＣＤやブルーレイディスク、ＨＤ−ＤＶＤ（Ｈｉｄｅｎｓｉｔｙ  ＤＶＤ）、ハードディスク、半導体メモリ等に適用しても良い。
【０１０９】
本発明によると、情報記録媒体の領域を２つ以上に分け、それぞれの領域に記録されるコンテンツに異なる著作権管理情報を適用することができる。また、それぞれの領域に記録されているコンテンツ間のリンク情報も記録することができる。このため、ある領域に記録されているコンテンツから、そのコンテンツとリンク付けされている別のコンテンツを容易に検索できることが可能となる。
【０１１０】
（実施の形態２）
図１５に、本発明の実施の形態２における再生装置１５２を示す。再生装置１５２は、情報記録媒体に記録された曲を再生する。情報記録媒体は例えばＤＶＤ−Ａｕｄｉｏ  Ｄｉｓｃ１００であるが、それに限定されない。
【０１１１】
再生装置１５２は、読出部１５３と、出力部１５４と、管理情報解読部１５５と、管理情報解読情報格納部１５６と、著作権管理情報解読部１５７と、著作権管理情報解読情報格納部１５８と、復号部１５９とを備える。
【０１１２】
読出部１５３は、ＤＶＤ−Ａｕｄｉｏ  Ｄｉｓｃ１００に記録された情報（音声データおよび管理情報等）を読み出す。復号部１５９は、読出部１５３が読み出した音声データを復号化し、出力部１５４は復号化した音声データを出力する。
【０１１３】
図１６Ａに示すように、管理情報解読情報格納部１５６は、第一の管理情報ファイル１１０の中身を解読するための第一の管理情報解読情報１６１と、第二の管理情報ファイル１２０の中身を解読するための第二の管理情報解読情報１６２とのうちの少なくとも一方を格納している。管理情報解読部１５５は、第一の管理情報解読情報１６１を用いて第一の管理情報ファイル１１０の中身を解読する。管理情報解読部１５５は、第二の管理情報解読情報１６２を用いて第二の管理情報ファイル１２０の中身を解読する。管理情報解読部１５５は、解読結果に応じて読出部１５３、復号部１５９および出力部１５４の動作を制御する。
【０１１４】
図１６Ｂに示すように、著作権管理情報解読情報格納部１５８は、第一の著作権管理情報１１４の中身を解読するための第一の著作権管理情報解読情報１６３と、第二の著作権管理情報ファイル１２４の中身を解読するための第二の著作権管理情報解読情報１６４とのうちの少なくとも一方を格納している。著作権管理情報解読部１５７は、第一の著作権管理情報解読情報１６３を用いて第一の著作権管理情報１１４の中身を解読する。著作権管理情報解読部１５７は、第二の著作権管理情報解読情報１６４を用いて第二の著作権管理情報ファイル１２４の中身を解読する。
【０１１５】
図１６Ｃに示すように、復号部１５９は、第一の情報復号部１６５と、第二の情報復号部１６６とのうちの少なくとも一方を備える。第一の情報復号部１６５は、ＤＶＤ−Ａｕｄｉｏ  Ｚｏｎｅ１０１に記録されている、第一の暗号化方式で暗号化された音声データを復号する。第二の情報復号部１６６は、Ｏｔｈｅｒ  Ｚｏｎｅ１０２に記録されている、第二の暗号化方式で暗号化された音声データを復号する。なお、復号部１５９は、出力部１５４に含まれてもよい。
【０１１６】
管理情報解読情報格納部１５６が、第一の管理情報解読情報１６１を格納している場合は、著作権管理情報解読情報格納部１５８は必ず第一の著作権管理情報解読情報１６３を格納しており、復号部１５９は必ず第一の情報復号部１６５を備えている。同様に、管理情報解読情報格納部１５６が、第二の管理情報解読情報１６２を格納している場合は、著作権管理情報解読情報格納部１５８は必ず第二の著作権管理情報解読情報１６４を格納しており、復号部１５９は必ず第二の情報復号部１６６を備えている。
【０１１７】
ＤＶＤ−Ａｕｄｉｏ  Ｄｉｓｃ１００を再生する動作について、図１７のフローチャートを用いながら説明する。ＤＶＤ−Ａｕｄｉｏ  Ｄｉｓｃ１００が再生装置１５２に挿入されると（Ｓ８０１）、まず読み込むべき管理情報を特定する（Ｓ８０２）。再生装置１５２が第一の管理情報ファイルを解読でき、且つ第一の音声データ群ファイルを再生する場合には、第一の管理情報ファイルと第一の著作権管理情報とを読出部１５３で読み出し、第一の管理情報ファイルを管理情報解読部１５５に出力し、第一の著作権管理情報を著作権管理情報解読部１５７に出力する（Ｓ８０３）。再生装置１５２が第二の管理情報ファイルを解読できない場合もＳ８０３の動作が行われる。
【０１１８】
著作権管理情報解読部１５７は、第一の著作権管理情報解読情報１６３を用いて第一の著作権管理情報を解読し、再生しようとしている曲の再生が許可されているか否かを判別する（Ｓ８０４）。判別の結果、再生が禁止されていることが判明すれば、再生動作を中止する（Ｓ８１３）。判別の結果、再生が許可されていることが判明すれば、管理情報解読部１５５は、第一の管理情報解読情報１６１を用いて第一の管理情報ファイルを解読する。読出部１５３は解読結果に基づいて再生しようとする曲の音声データを情報記録媒体から読出部１５３で読み出し（Ｓ８０５）、復号部１５９へ出力する。復号部１５９の第一の情報復号部１６５は、暗号化された音声データを復号し（Ｓ８０６）、出力部１５４が復号化された音声データを出力することにより再生される（Ｓ８０７）。
【０１１９】
再生装置１５２が第二の管理情報しか解読できない場合（すなわち第一の管理情報ファイルを解読できない場合）は、あるいは、第二の音声データファイルを再生する場合には、第二の管理情報と第二の著作権管理情報とを読出部１５３が読み出し、上述の手順（Ｓ８０３〜Ｓ８０７およびＳ８１３）と同様の手順（Ｓ８０８〜Ｓ８１３）に従って再生する。Ｓ８０８〜Ｓ８１３で行われる動作は、Ｓ８０３〜Ｓ８０７およびＳ８１３で行われる動作と、扱う情報以外は同様であるので、詳細な説明は省略する。
【０１２０】
再生装置１５２が第一の管理情報ファイルと第二の管理情報との両方を解読できる場合は、再生条件に応じて第一の管理情報ファイルと第二の管理情報ファイルとの何れかが解読される。
【０１２１】
次に、ＤＶＤ−Ａｕｄｉｏ  Ｚｏｎｅ１０１に記録されたある曲をコピーする動作について、図１８のフローチャートを用いて説明する。
【０１２２】
再生装置１５２が、第一の管理情報ファイルを読み込んで、ＤＶＤ−Ａｕｄｉｏ  Ｚｏｎｅ１０１に記録されている曲を再生したり、メニュー画面を表示している際、ＤＶＤ−Ａｕｄｉｏ  Ｚｏｎｅ１０１に記録されたある曲をコピーするようにユーザから指示があったとする（Ｓ８２１）。この場合、第一の著作権管理情報を解読し、その曲のコピーが許可されているか否かを判断する（Ｓ８２２）。曲のコピーが許可されており、再生装置１５２が第二の管理情報を解読できる場合には、ユーザに高速コピーを行うか、高音質な音声データのコピーを行うかの選択をさせる（Ｓ８２５、Ｓ８２６）。その結果、ユーザが高速コピーを選択した場合には、読出部１５３で第二の管理情報と第二の著作権管理情報とを読み出し（Ｓ８２７）、第二の管理情報を管理情報解読部１５５に出力し、第二の著作権管理情報を著作権管理情報解読部１５７に出力する。ユーザが高音質コピーを選択した場合には、ＤＶＤ−Ａｕｄｉｏ  Ｚｏｎｅ１０１に記録された曲をコピーするように動作する（Ｓ８３１）。
【０１２３】
管理情報解読部１５５では、第二の管理情報解読情報１６２を用いて第二の管理情報を解読する。この時、リンク情報を元に、第二の曲情報を検索する。例えば、リンク情報として曲のグループ番号およびトラック番号が記録されている場合は、コピーしたい曲のグループ番号およびトラック番号を含む第二の曲情報を検索する。また、リンク情報として他の情報が記録されている場合は、その情報が記録されている第二の曲情報を検索する。一方、図６のように、第二の管理情報がリンク群情報を含む場合、コピーしたい曲に該当する曲リンク情報を検索し、検索された曲リンク情報が示す第二の曲番号から第二の曲情報を特定する（Ｓ８２８）。該当する第二の曲情報が特定できれば、著作権管理情報解読部１５７で、特定された第二の曲情報が管理する音声データファイルのコピーが許可されているか否かを判別する（Ｓ８２９）。
【０１２４】
判別の結果、コピーが許可されていれば、第二の音声データファイル情報が示すファイル名のファイルを読出部１５３で読み出して、復号部１５９に出力する。復号部１５９の第二の情報復号部１６６では、読み出された音声データを復号し、復号した音声データを出力部１５４でコピーのために出力する（Ｓ８３０）。なお、第二の著作権管理情報の解読の結果、曲のコピーが禁止されていることが判明した場合は、ＤＶＤ−Ａｕｄｉｏ  Ｚｏｎｅ１０１に記録された曲をコピーするように動作する（Ｓ８３１）。
【０１２５】
ＤＶＤ−Ａｕｄｉｏ  Ｚｏｎｅ１０１に記録されている曲のコピーが許可されており、再生装置１５２が第二の管理情報を解読できない場合、またはユーザが高速コピーを選択しなかった場合は、ＤＶＤ−Ａｕｄｉｏ  Ｚｏｎｅ１０１に記録されている音声データをコピーするように動作する。具体的には、情報記録媒体からその曲に該当する音声データを読出部１５３で読み出し、復号部１５９に出力する。復号部１５９の第一の情報復号部１６５では、読み出した音声データを復号し、出力部１５４に出力してコピーする。
【０１２６】
ＤＶＤ−Ａｕｄｉｏ  Ｚｏｎｅ１０１に記録されている曲のコピーが禁止されており、再生装置１５２が第二の管理情報を解読できる場合は、第二の音声データをコピーするように動作する（Ｓ８２３、Ｓ８２７〜Ｓ８３０）。ただし、この場合はＳ８３１の動作は行われない。第二の管理情報を解読できない場合は、該当曲をコピーできない（Ｓ８２４）。
【０１２７】
本発明によると、ＤＶＤ−Ａｕｄｉｏ  Ｚｏｎｅ１０１に記録された曲とＯｔｈｅｒ  Ｚｏｎｅ１０２に記録された曲とに異なる著作権管理情報が与えられており、例えば、ＤＶＤ−Ａｕｄｉｏ  Ｚｏｎｅ１０１に記録された曲は高音質なためコピー不可であるが、Ｏｔｈｅｒ  Ｚｏｎｅ１０２に記録された曲は圧縮された曲であるためコピーが許可されていることがある。この場合、ＤＶＤ−Ａｕｄｉｏ  Ｚｏｎｅ１０１に記録された曲をコピーするような指示がユーザからあったとしても、本発明によれば、対応する曲をＯｔｈｅｒ  Ｚｏｎｅ１０２から自動的に検索してコピーすることができるようになる。
【０１２８】
ＤＶＤ−Ａｕｄｉｏ  Ｚｏｎｅ１０１に記録された曲とＯｔｈｅｒ  Ｚｏｎｅ１０２に記録された曲との両曲ともコピーが許可されている場合でも、Ｏｔｈｅｒ  Ｚｏｎｅ１０２に記録された曲は圧縮されてデータ量が少ない場合は、Ｏｔｈｅｒ  Ｚｏｎｅ１０２に記録された曲を選択することにより、ＤＶＤ−Ａｕｄｉｏ  Ｚｏｎｅ１０１に記録された曲よりも高速にコピーすることが可能となる。
【０１２９】
上記したように、復号部１５９は、第一の情報復号部１６５と第二の情報復号部１６６とを備えている。しかしながら、第一の情報復号部１６５と第二の情報復号部１６６とで、一部同じ復号アルゴリズムを利用している場合は、図１９に示す復号部１５９ａが用いられてもよい。復号部１５９ａは、第一の情報特化復号部１９１と、第二の情報特化復号部１９２と、共通復号部１９３とを備える。
【０１３０】
共通復号部１９３は、ＤＶＤ−Ａｕｄｉｏ  Ｚｏｎｅ１０１に記録された音声データおよびＯｔｈｅｒ  Ｚｏｎｅ１０２に記録された音声データのうちの同じアルゴリズムを用いて暗号化されているそれぞれの部分を復号する。第一の情報特化復号部１９１は、ＤＶＤ−Ａｕｄｉｏ  Ｚｏｎｅ１０１に記録された音声データのうちの第一暗号化方式は有するが第二暗号化方式は有さないアルゴリズムで暗号化されている部分を復号する。第二の情報特化復号部１９２は、Ｏｔｈｅｒ  Ｚｏｎｅ１０２に記録された音声データのうちの第二暗号化方式は有するが第一暗号化方式は有さないアルゴリズムで暗号化されている部分を復号する。
【０１３１】
この場合、ＤＶＤ−Ａｕｄｉｏ  Ｚｏｎｅ１０１に記録された音声データが入力されてくれば、第一の情報特化復号部１９１で復号処理を開始し、必要に応じて共通復号部１９３で復号処理を行うようにし、最終的に復号した音声データを出力部１５４に出力する。同様にして、Ｏｔｈｅｒ  Ｚｏｎｅ１０２に記録された音声データが入力されれば、第二の情報特化復号部１９２で復号処理を開始し、必要に応じて共通復号部１９３で復号処理を行うようにし、最終的に復号した音声データを出力部１５４に出力する。この結果、同じ復号アルゴリズムを複数実装する必要は無く、再生装置への実装負担は軽減される。
【０１３２】
図２０に再生装置１５２の改変例である再生装置２０１を示す。再生装置２０１は、外部電源および再生装置２０１に搭載された蓄電池２０３のうちの少なくとも一方から供給される電力によって駆動する。再生装置２０１は、再生装置１５２の構成要素に加えて、さらに外部電源入力部２０２と、蓄電池２０３と、電源供給元判定部２０４とを備える。ＤＶＤ−Ａｕｄｉｏ  Ｄｉｓｃ１００の曲を再生する際には、電力が外部電源あるいは蓄電池２０３から供給されるかによって、ＤＶＤ−Ａｕｄｉｏ  Ｚｏｎｅ１０１に記録された曲か、あるいはＯｔｈｅｒ  Ｚｏｎｅ１０２に記録された曲を再生するかを選択する。
【０１３３】
図２１のフローチャートを参照して、再生装置２０１が詳説される。
【０１３４】
情報記録媒体が挿入されると（Ｓ８４１）、まず、電源供給元判定部２０４は、電力が外部電源から供給されているか蓄電池２０３から供給されているかを判別する（Ｓ８４２）。外部電源から供給されており、且つＤＶＤ−Ａｕｄｉｏ  Ｚｏｎｅ１０１に記録された曲を再生する場合には、読出部１５３は、第一の管理情報ファイルと第一の著作権管理情報とを読み出し（Ｓ８４３）、ＤＶＤ−Ａｕｄｉｏ  Ｚｏｎｅ１０１に記録された曲を読み出す（Ｓ８４４）。逆に、蓄電池２０３から電力が供給されている場合は、読出部１５３は、第二の管理情報と第二の著作権管理情報とを読み出し（Ｓ８４５）、Ｏｔｈｅｒ  Ｚｏｎｅ１０２に記録された曲を読み出す（Ｓ８４６）。
【０１３５】
この結果、蓄電池で再生装置が駆動している場合は、消費電力を小さく抑えながら曲を再生することが可能となる。例えば、ＤＶＤ−Ａｕｄｉｏ  Ｚｏｎｅ１０１には、４４．１ｋＨｚ／２４ｂｉｔｓ／６ｃｈであるリニアＰＣＭの５分の曲（データ量は約２４０ＭＢ）が記録され、Ｏｔｈｅｒ  Ｚｏｎｅ１０２に１２８ｋｂｐｓのｍｐ３で圧縮した５分の曲（データ量は約５ＭＢ）が記録されていると仮定する。この場合、ｍｐ３の曲を再生する場合は、５ＭＢのデータ量を再生装置のメモリに先に読み込んでおけば、再生中に絶えずＤＶＤ−Ａｕｄｉｏ  Ｄｉｓｃ１００を回転させておく必要はない。しかしながら、リニアＰＣＭの曲を再生する際は、再生装置にはコスト等の問題により大容量のメモリが搭載されていることはないため、ＤＶＤ−Ａｕｄｉｏ  Ｄｉｓｃ１００を常に回転させて音声データを読み込みながら再生することとなる。この結果、ｍｐ３の曲を再生すれば、リニアＰＣＭの曲を再生する際よりも消費電力を小さく抑えることが可能となる。このような蓄電池駆動時には自動的に圧縮の音声データを再生する機能は、ポータブルの再生装置のように、蓄電池で駆動させる場合とＡＣアダプタ等の外部電源を利用して駆動させる場合との両方の場合がある再生装置では、非常に有効である。
【０１３６】
本発明は、蓄電池駆動時だけでなく、外部電源から電力が供給されている場合であっても、低消費電力で曲の再生を行いたい場合は、Ｏｔｈｅｒ  Ｚｏｎｅ１０２に記録された曲を再生すればよい。
【０１３７】
上述の場合、再生装置が蓄電池で駆動している場合は、Ｏｔｈｅｒ  Ｚｏｎｅ１０２に記録された曲を再生することになるが、蓄電池で駆動している場合であっても、消費電力は大きくなるがＤＶＤ−Ａｕｄｉｏ  Ｚｏｎｅ１０１に記録された曲を再生させたいユーザもいると考えられる。このため、再生装置の初期設定等で、蓄電池で駆動する場合には、消費電力を少なくするように曲を再生させるか否かを設定できるようにすることが望ましい。なお、デフォルトの設定としては、蓄電池での駆動時には低消費電力で曲を再生するようにしておくことが望ましい。なお、再生装置２０１に搭載される電池は蓄電池２０３に限定されず、一次電池であってもよい。
【０１３８】
再生装置２０１は外部電源および電池の両方を用いて駆動されてもよく、この場合は、再生装置２０１は、外部電源により駆動される場合と同様に動作し得る。
【０１３９】
図２２に再生装置１５２の改変例である再生装置２２１を示す。再生装置２２１は、再生装置１５２の構成要素に加えて、さらに情報選択部２２２を備える。Ｏｔｈｅｒ  Ｚｏｎｅ１０２には、同一の曲に対して異なる属性情報、例えば異なる記録方式で記録された複数の第二の音声データファイルを記録する場合がある。情報選択部２２２は、再生装置２２１が第二の音声データファイルの再生やコピーを行う際に、その時の再生条件およびコピー条件に応じて最適な音声データを選択するための情報やルールを格納している。
【０１４０】
例えば、再生時のルールとしては、再生装置２２１が再生可能な音声データの記録方式の音声データを選択するルール、同じ曲でも高音質な記録方式、例えばリニアＰＣＭやデータ量の大きい音声データを選択するルール、外部機器で再生するために音声データを出力する際には外部機器が再生できる記録方式の音声データを選択するルール、インターネットや有線ＬＡＮおよび無線ＬＡＮ等で接続された外部機器で再生する場合は、圧縮記録方式で記録された音声データを選択するルールなどがある。
【０１４１】
コピー時のルールとしては、例えば、高速コピーを行う時は圧縮記録方式を用いた音声データを選択するルール、記録先の情報記録媒体およびシステムが対応している記録方式の音声データを選択するルール、インターネットや有線ＬＡＮおよび無線ＬＡＮ等を介して他の情報記録媒体に記録する際には圧縮記録方式で記録された音声データを選択するルールなどがある。
【０１４２】
再生装置２２１は、Ｏｔｈｅｒ  Ｚｏｎｅ１０２に記録された曲を再生やコピーする際、管理情報解読部１５５で該当曲の属性情報を解読する。情報選択部２２２は、自身が有するルールと解読結果とに従って、複数の音声データファイルのうちの一つを選択する。読出部１５３は、その選択された音声データファイル読み出す。
【０１４３】
再生装置１５２は、管理情報解読情報格納部１５６の代わりに図２３Ａに示す管理情報解読情報格納部１５６ａを備えてもよい。管理情報解読情報格納部１５６ａは、第一の管理情報解読情報１６１と、第二の管理情報ファイルの中身を解読するための第二の管理情報解読情報２３１と、第三の管理情報ファイルの中身を解読するための第三の管理情報解読情報２３２とを格納している。これにより、図１０のようにＯｔｈｅｒ  Ｚｏｎｅ１０２に複数の管理情報を記録されている場合でも、解読したい管理情報することができる。
【０１４４】
再生装置１５２は、著作権管理情報解読情報格納部１５８の代わりに著作権管理情報解読情報格納部１５８ａを備えてもよい。著作権管理情報解読情報格納部１５８ａは、（ｉ）第一の著作権管理情報解読情報１６３と、（ｉｉ）第二の著作権管理情報ファイルの中身を解読するための第二の著作権管理情報解読情報２３３と、（ｉｉｉ）第三の著作権管理情報ファイルの中身を解読するための第三の著作権管理情報解読情報２３４との少なくとも一つを格納している。管理情報解読情報格納部１５６ａが第一の管理情報解読情報１６１を格納している場合は、著作権管理情報解読情報格納部１５８ａには第一の著作権管理情報解読情報１６３が格納される。管理情報解読情報格納部１５６ａが第二の管理情報解読情報２３１を格納している場合は、著作権管理情報解読情報格納部１５８ａには第二の著作権管理情報解読情報２３３が格納される。管理情報解読情報格納部１５６ａが第三の管理情報解読情報２３２を格納している場合は、著作権管理情報解読情報格納部１５８ａには第三の著作権管理情報解読情報２３４が格納される。
【０１４５】
再生装置１５２が曲を再生する場合は、基本的に図１７のフローチャートに従って再生を行うが、Ｏｔｈｅｒ  Ｚｏｎｅ１０２に記録されている管理情報を読み出す場合は、管理情報解読情報格納部１５６に記録されている解読情報に対応する、第二の管理情報または第三の管理情報を読み出して解読する。また、第二の管理情報を読み込んだ場合は、第二の著作権管理情報を読み込み、第三の管理情報を読み込んだ場合は、第三の著作権管理情報を読み込む。読出部１５３は、管理情報および著作権管理情報の解読結果に基づいてＯｔｈｅｒ  Ｚｏｎｅ１０２に記録されている曲を読み出す。
【０１４６】
第三の著作権管理情報がどの第三の管理情報に対応しているかは事前に決められており、再生装置１５２は、ファイル名を元に、対応する著作権管理情報のファイルを検索することとなる。
【０１４７】
再生装置１５２は、復号部１５９の代わりに図２４に示す復号部１５９ｂを備えてもよい。復号部１５９ｂは、第一の情報復号部１６５と、第二の管理情報が管理する音声データを復号するための第二の情報復号部２４１と、第三の管理情報が管理する音声データを復号するための第三の情報復号部２４２とのうちの少なくとも一つを備える。
【０１４８】
Ｏｔｈｅｒ  Ｚｏｎｅ１０２に記録されている複数の管理情報毎に、管理する第二の音声データファイルの暗号化方式が異なっていることもある。復号部１５９ｂは、解読可能な管理情報が管理する暗号化方式に対応する復号機能を有する。例えば、再生装置が、第一の管理情報ファイルと第二の管理情報と第三の管理情報とを解読できる場合は、復号部１５９ｂは、図２４のように、第一の情報復号部１６５と、第二の情報復号部２４１と、第三の情報復号部２４２とを備える。再生装置が情報記録媒体から読み出した音声データを復号する際は、その音声データを管理している管理情報に対応した復号部で復号する。
【０１４９】
図２５に再生装置１５２の改変例である再生装置２５２を示す。再生装置２５２は、管理情報解読情報格納部１５６、著作権管理情報解読情報格納部１５８、復号部１５９の代わりに、管理情報解読情報格納部１５６ｂ、著作権管理情報解読情報格納部１５８ｂ、復号部１５９ｃを備える。
【０１５０】
図２６に示されるように、管理情報解読情報格納部１５６ｂは、第一の管理情報解読情報１６１と、第二の管理情報解読情報１６２と、同期再生管理情報ファイルの中身を解読するための同期再生管理情報解読情報２６１とを格納している。
【０１５１】
著作権管理情報解読情報格納部１５８ｂは、第一の著作権管理情報解読情報１６３と、第二の著作権管理情報解読情報１６４と、同期再生情報著作権管理情報ファイル７３４の中身を解読するための同期再生情報著作権管理情報解読情報２６２とを格納している。
【０１５２】
復号部１５９ｃは、第一の情報復号部１６５と、第二の情報復号部１６６と、同期再生情報復号部２６３とを備える。同期再生情報復号部２６３は、同期再生管理情報が管理する暗号化された情報（この場合は暗号化された静止画データ）を復号する。
【０１５３】
第一の管理情報解読情報１６１と第一の著作権管理情報解読情報１６３と第一の情報復号部１６５とは、備えられていない場合もある。
【０１５４】
図１４のように、Ｏｔｈｅｒ  Ｚｏｎｅ１０２に同期再生管理情報ファイル７３０と同期再生情報著作権管理情報ファイル７３４と静止画データファイル７３１〜７３３が記録されている場合は、第二の音声データファイルを再生する際に、静止画データも同期させて再生することが可能である。
【０１５５】
再生装置２５２が、第二の音声データと静止画データとを同期させて再生する動作について、図２７のフローチャートを用いながら説明する。
【０１５６】
情報記録媒体が再生装置２５２に挿入されると（Ｓ８５１）、読出部１５３は第二の管理情報を読み出し、管理情報解読部１５５に出力する。また、読出部１５３は第二の著作権管理情報を読み出し、著作権管理情報解読部１５７に出力する（Ｓ８５２）。管理情報解読部１５５は、第二の管理情報に含まれている同期再生管理情報関連情報を解読する（Ｓ８５３）。同期再生管理情報関連情報が示す管理情報種別から、同期再生管理情報ファイル７３０が再生装置２５２で解読可能な管理情報であるか否かを判別する（Ｓ８５４）。同期再生管理情報ファイル７３０が再生装置２５２で解読可能な管理情報でないことが判明すれば、第二の音声データファイルの再生のみを行う（Ｓ８５８）。
【０１５７】
同期再生管理情報ファイル７３０が再生装置２５２で解読可能な管理情報であることが判明すれば、同期再生管理情報関連情報に含まれている同期再生管理情報ファイル名を読み出し（Ｓ８５５）、同期再生管理情報ファイル名に基づいて、読出部１５３は同期再生管理情報を読み出し、管理情報解読部１５５に出力する（Ｓ８５６）。
【０１５８】
ある第二の音声データファイルを再生する場合、著作権管理情報解読部１５７は、その第二の音声データファイルの再生が許可されているか否かを判別する。許可されていることが判明すれば、管理情報解読部１５５は、同期再生管理情報解読情報２６１を用いながら同期再生管理情報を解読し、音声データの再生中に再生すべき静止画データを特定する。著作権管理情報解読部１５７は、同期再生著作権管理情報解読情報２６２を用いながら同期再生著作権管理情報を解読し、静止画データの再生が許可されているか否かを判別し、許可されていることが判明すれば、管理情報解読部１５５で特定された第二の音声データと静止画データとを読出部１５３で読み出し、復号部１５９ｃに出力する。第二の音声データファイルおよび静止画データが暗号化されている場合、復号部１５９ｃでは、暗号化された第二の音声データファイルを第二の情報復号部１６６で復号し、暗号化された静止画データを同期再生情報復号部２６３で復号する。出力部２５３は、復号された第二の音声データファイルと静止画データとを同期させて出力する（Ｓ８５７）。
【０１５９】
再生装置２５２が同期再生管理情報を解読できるか否かを判定する場合、上述では管理情報種別を用いて判断しているが、同期再生管理情報関連情報に含まれている同期再生管理情報ファイル名から判断しても良い。また、あらかじめ同期再生管理情報ファイル名が決められている場合、第二の管理情報に同期再生管理情報関連情報が記録されていないことがある。この場合は、再生装置２５２は、同期再生管理情報解読情報で解読できる同期再生管理情報が記録されているファイルを、ファイル名に基づいて情報記録媒体から検索して読出部１５３で読み出し、管理情報解読部１５５に出力する。
【０１６０】
本実施の形態では、ＤＶＤ−Ａｕｄｉｏ  Ｄｉｓｃの再生装置に特化して説明している。しかしながら、実施の形態１の内容が、ＤＶＤ−Ａｕｄｉｏ  Ｄｉｓｃ以外の情報記録媒体およびアプリケーションに適用される場合、本実施の形態の再生装置は、実施の形態１が適用されている情報記録媒体およびアプリケーションを再生する再生装置を意味する。
【０１６１】
本発明によると、ＤＶＤ−Ａｕｄｉｏ  Ｚｏｎｅ１０１に記録された曲のコピーが禁止されていたとしても、Ｏｔｈｅｒ  Ｚｏｎｅ１０２に記録された曲を自動的にコピーすることができる。また、高速コピーも可能となる。さらに、ポータブルの再生装置では、低消費電力での再生も可能となる。
【０１６２】
本発明によれば、同一のコンテンツであるが異なる記録方式で記録したデータファイルを、２つの記録領域に分けて記録している。これにより、２つの領域に記録されたコンテンツにそれぞれ異なる著作権管理情報を適用することができ、様々なコンテンツの扱いを定義することが可能となる。
【０１６３】
ある領域に非圧縮コンテンツを記録し、別の領域にはそのコンテンツを圧縮したコンテンツを記録する。これにより、再生時には非圧縮コンテンツを再生して高音質再生を実現するとともに、コピー時には圧縮コンテンツをコピーすることで、高速コピーを実現することも可能となる。さらには、再生時に圧縮コンテンツを再生すれば、低消費電力での再生が可能となる。
【産業上の利用可能性】
【０１６４】
本発明にかかる情報記録媒体および情報再生装置によれば、コンテンツの高速コピーおよび低消費電力再生、同じ情報記録媒体内の複数のコンテンツにそれぞれ異なる著作権管理の適用が可能となる。本発明は、例えばＣＤやＤＶＤディスク、ブルーレイディスク、半導体メモリ、ハードディスクなどの情報記録媒体、およびＣＤプレーヤやＤＶＤプレーヤ、ブルーレイディスクプレーヤ、半導体メモリプレーヤ、パソコン等のソフトウェアプレーヤなどの情報記録媒体を再生する装置、または、ポータブルプレーヤ等の蓄電池駆動の機能を備える再生装置に特に有用である。
【０１６５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【図面の簡単な説明】
【０１６６】
【図１】本発明の実施の形態における情報記録媒体を示す図である。
【図２】本発明の実施の形態における情報記録媒体ファイルの構造を示す図である。
【図３】本発明の実施の形態におけるリンク関係を示す図である。
【図４Ａ】本発明の実施の形態におけるデータ構造を示す図である。
【図４Ｂ】本発明の実施の形態におけるデータ構造を示す図である。
【図５】本発明の実施の形態における暗号化方式を示す図である。
【図６】本発明の実施の形態におけるリンク群情報を示す図である。
【図７Ａ】本発明の実施の形態における第二の曲著作権管理情報を示す図である。
【図７Ｂ】本発明の実施の形態における第二の曲著作権管理情報を示す図である。
【図８】本発明の実施の形態における管理情報と音声データファイルとの関係を示す図である。
【図９】本発明の実施の形態における別著作権管理情報の適用を示す図である。
【図１０】本発明の実施の形態における情報記録媒体ファイルの構造を示す図である。
【図１１】本発明の実施の形態における第二の管理情報データ構造を示す図である。
【図１２】本発明の実施の形態における同期再生管理情報を含む情報記録媒体を示す図である。
【図１３】本発明の実施の形態における同期再生管理情報関連情報を示す図である。
【図１４】本発明の実施の形態における同期再生管理情報を含む情報記録媒体ファイルの構造を示す図である。
【図１５】本発明の実施の形態における再生装置を示す図である。
【図１６Ａ】本発明の実施の形態における再生装置の詳細を示す図である。
【図１６Ｂ】本発明の実施の形態における再生装置の詳細を示す図である。
【図１６Ｃ】本発明の実施の形態における再生装置の詳細を示す図である。
【図１７】本発明の実施の形態における曲再生フローチャートを示す図である。
【図１８】本発明の実施の形態における曲コピーフローチャートを示す図である。
【図１９】本発明の実施の形態における復号部を示す図である。
【図２０】本発明の実施の形態における電源供給元判別可能再生装置を示す図である。
【図２１】本発明の実施の形態における電源供給元判別可能再生装置の曲再生フローチャートを示す図である。
【図２２】本発明の実施の形態における再生可能情報判別再生装置を示す図である。
【図２３Ａ】本発明の実施の形態における再生装置の詳細を示す図である。
【図２３Ｂ】本発明の実施の形態における再生装置の詳細を示す図である。
【図２４】本発明の実施の形態における復号部を示す図である。
【図２５】本発明の実施の形態における同期再生可能再生装置を示す図である。
【図２６】本発明の実施の形態における同期再生可能再生装置の詳細を示す図である。
【図２７】本発明の実施の形態における同期再生可能再生装置の曲再生フローチャートを示す図である。
【図１】
2007521601.tif 000003
【図２】
2007521601.tif 000004
【図３】
2007521601.tif 000005
【図４Ａ】
2007521601.tif 000006
【図４Ｂ】
2007521601.tif 000007
【図５】
2007521601.tif 000008
【図６】
2007521601.tif 000009
【図７Ａ】
2007521601.tif 000010
【図７Ｂ】
2007521601.tif 000011
【図８】
2007521601.tif 000012
【図９】
2007521601.tif 000013
【図１０】
2007521601.tif 000014
【図１１】
2007521601.tif 000015
【図１２】
2007521601.tif 000016
【図１３】
2007521601.tif 000017
【図１４】
2007521601.tif 000018
【図１５】
2007521601.tif 000019
【図１６Ａ】
2007521601.tif 000020
【図１６Ｂ】
2007521601.tif 000021
【図１６Ｃ】
2007521601.tif 000022
【図１７】
2007521601.tif 000023
【図１８】
2007521601.tif 000024
【図１９】
2007521601.tif 000025
【図２０】
2007521601.tif 000026
【図２１】
2007521601.tif 000027
【図２２】
2007521601.tif 000028
【図２３Ａ】
2007521601.tif 000029
【図２３Ｂ】
2007521601.tif 000030
【図２４】
2007521601.tif 000031
【図２５】
2007521601.tif 000032
【図２６】
2007521601.tif 000033
【図２７】
2007521601.tif 000034
【手続補正書】
【提出日】平成18年3月2日(2006.3.2)
【手続補正１】
【補正対象書類名】特許請求の範囲
【補正対象項目名】全文
【補正方法】変更
【補正の内容】
【特許請求の範囲】
【請求項１】
第一音声情報と前記第一音声を管理する第一管理情報とを記録するための第一記録領域と、
前記第一音声情報に関連する第二音声情報と前記第二音声情報を管理する第二管理情報とを記録するための第二記録領域と
を備え、
前記第一管理情報は、グループ番号とトラック番号とによって前記第一音声情報を特定し、
前記第二管理情報は、識別番号によって前記第二音声情報を特定し、
前記第二管理情報は、前記第一音声情報と前記第二音声情報とが関連していることを示すリンク情報を含み、
前記リンク情報は、前記第一音声情報を特定する前記グループ番号および前記トラック番号と、前記第二音声情報を特定する前記識別番号とを対応づける、情報記録媒体。
【請求項２】
前記第二音声情報は、前記第一音声情報の圧縮形式である、請求項１に記載の情報記録媒体。
【請求項３】
情報記録媒体に記録された第一音声情報および前記第一音声情報に関連する第二音声情報のうちの少なくとも一方を再生する再生装置であって、
前記情報記録媒体は、
第一音声情報と前記第一音声を管理する第一管理情報とを記録するための第一記録領域と、
前記第一音声情報に関連する第二音声情報と前記第二音声情報を管理する第二管理情報とを記録するための第二記録領域と
を備え、
前記第一管理情報は、グループ番号とトラック番号とによって前記第一音声情報を特定し、
前記第二管理情報は、識別番号によって前記第二音声情報を特定し、
前記第二管理情報は、前記第一音声情報と前記第二音声情報とが関連していることを示すリンク情報を含み、
前記リンク情報は、前記第一音声情報を特定する前記グループ番号および前記トラック番号と、前記第二音声情報を特定する前記識別番号とを対応づけており、
前記再生装置は、
前記第一音声情報、前記第一管理情報、前記第二音声情報および前記第二管理情報のうちの少なくとも一つを前記情報記録媒体から読み出す読出し部と、
前記第一管理情報を解読するための第一解読情報、および前記第二管理情報を解読するための第二解読情報のうちの少なくとも一方が格納されている格納部と、
前記第一管理情報および前記第二管理情報のうちの少なくとも一方を解読する解読部と、
前記第一音声情報および前記第二音声情報のうちの少なくとも一方を出力する出力部と
を備え、
前記格納部に前記第一解読情報が格納されており、且つ前記第一音声情報を再生する場合には、
前記読出し部は前記情報記録媒体から前記第一管理情報を読み出し、
前記解読部は前記第一解読情報に基づいて前記第一管理情報を解読し、
前記第一管理情報を解読した結果に基づいて、前記読出し部は前記情報記録媒体から前記第一音声情報を読み出し、前記出力部は前記第一音声情報を出力し、
前記格納部に前記第二解読情報が格納されており、且つ前記第二音声情報を再生する場合には、
前記読出し部は前記情報記録媒体から前記第二管理情報を読み出し、
前記解読部は前記第二解読情報に基づいて前記第二管理情報を解読し、
前記第二管理情報を解読した結果に基づいて、前記読出し部は前記情報記録媒体から前記第二音声情報を読み出し、前記出力部は前記第二音声情報を出力し、
前記再生装置が前記第一音声情報のコピー命令を受け取った場合には、
前記読出し部は、前記情報記録媒体から前記リンク情報を読み出し、
前記解読部は、前記リンク情報を解読して、前記第一音声情報と関連している前記第二音声情報を特定し、
前記読出し部は前記情報記録媒体から前記特定された第二音声情報を読み出し、前記出力部は前記特定された第二音声情報を出力する、再生装置。
【請求項４】
前記再生装置の電力が外部電源から供給されているか否かを判定する判定部をさらに備え、
前記再生装置の電力が外部電源から供給されていると前記判定部が判定した場合には、前記出力部は前記第一音声情報を出力し、
前記再生装置の電力が外部電源から供給されていないと前記判定部が判定した場合には、前記出力部は前記第二音声情報を出力する、請求項３に記載の再生装置。
【請求項５】
前記第二音声情報は、前記第一音声情報の圧縮形式である、請求項３に記載の再生装置。
【請求項６】
情報記録媒体に記録された第一音声情報および前記第一音声情報に関連する第二音声情報のうちの少なくとも一方を再生する再生方法であって、
前記情報記録媒体は、
第一音声情報と前記第一音声を管理する第一管理情報とを記録するための第一記録領域と、
前記第一音声情報に関連する第二音声情報と前記第二音声情報を管理する第二管理情報とを記録するための第二記録領域と
を備え、
前記第一管理情報は、グループ番号とトラック番号とによって前記第一音声情報を特定し、
前記第二管理情報は、識別番号によって前記第二音声情報を特定し、
前記第二管理情報は、前記第一音声情報と前記第二音声情報とが関連していることを示すリンク情報を含み、
前記リンク情報は、前記第一音声情報を特定する前記グループ番号および前記トラック番号と、前記第二音声情報を特定する前記識別番号とを対応づけており、
前記再生方法は、
（ａ）前記第一管理情報を解読するための第一解読情報を用いて、前記第一音声情報を再生するステップと、
（ｂ）前記第二管理情報を解読するための第二解読情報を用いて、前記第二音声情報を再生するステップと、
（ｃ）前記第一音声情報のコピー命令に応答して、コピー処理を実行するステップと
を包含し、
前記ステップ（ａ）は、
前記情報記録媒体から前記第一管理情報を読み出すステップと、
前記第一解読情報に基づいて前記第一管理情報を解読するステップと、
前記第一管理情報を解読した結果に基づいて、前記情報記録媒体から前記第一音声情報を読み出すステップと、
前記第一音声情報を出力するステップと
を包含し、
前記ステップ（ｂ）は、
前記情報記録媒体から前記第二管理情報を読み出すステップと、
前記第二解読情報に基づいて前記第二管理情報を解読するステップと、
前記第二管理情報を解読した結果に基づいて、前記情報記録媒体から前記第二音声情報を読み出すステップと、
前記第二音声情報を出力するステップと
を包含し、
前記ステップ（ｃ）は、
前記情報記録媒体から前記リンク情報を読み出すステップと、
前記リンク情報を解読して、前記第一音声情報と関連している前記第二音声情報を特定するステップと、
前記情報記録媒体から前記特定された第二音声情報を読み出すステップと、
前記特定された第二音声情報を出力するステップと
を包含する、再生方法。
【請求項７】
情報記録媒体に記録された第一音声情報および前記第一音声情報に関連する第二音声情報のうちの少なくとも一方を再生する再生処理をコンピュータに実行させるためのプログラムであって、
前記情報記録媒体は、
第一音声情報と前記第一音声を管理する第一管理情報とを記録するための第一記録領域と、
前記第一音声情報に関連する第二音声情報と前記第二音声情報を管理する第二管理情報とを記録するための第二記録領域と
を備え、
前記第一管理情報は、グループ番号とトラック番号とによって前記第一音声情報を特定し、
前記第二管理情報は、識別番号によって前記第二音声情報を特定し、
前記第二管理情報は、前記第一音声情報と前記第二音声情報とが関連していることを示すリンク情報を含み、
前記リンク情報は、前記第一音声情報を特定する前記グループ番号および前記トラック番号と、前記第二音声情報を特定する前記識別番号とを対応づけており、
前記再生処理は、
（ａ）前記第一管理情報を解読するための第一解読情報を用いて、前記第一音声情報を再生するステップと、
（ｂ）前記第二管理情報を解読するための第二解読情報を用いて、前記第二音声情報を再生するステップと、
（ｃ）前記第一音声情報のコピー命令に応答して、コピー処理を実行するステップと
を包含し、
前記ステップ（ａ）は、
前記情報記録媒体から前記第一管理情報を読み出すステップと、
前記第一解読情報に基づいて前記第一管理情報を解読するステップと、
前記第一管理情報を解読した結果に基づいて、前記情報記録媒体から前記第一音声情報を読み出すステップと、
前記第一音声情報を出力するステップと
を包含し、
前記ステップ（ｂ）は、
前記情報記録媒体から前記第二管理情報を読み出すステップと、
前記第二解読情報に基づいて前記第二管理情報を解読するステップと、
前記第二管理情報を解読した結果に基づいて、前記情報記録媒体から前記第二音声情報を読み出すステップと、
前記第二音声情報を出力するステップと
を包含し、
前記ステップ（ｃ）は、
前記情報記録媒体から前記リンク情報を読み出すステップと、
前記リンク情報を解読して、前記第一音声情報と関連している前記第二音声情報を特定するステップと、
前記情報記録媒体から前記特定された第二音声情報を読み出すステップと、
前記特定された第二音声情報を出力するステップと
を包含する、プログラム。
【国際調査報告】
2007521601.tif 000035
2007521601.tif 000036
2007521601.tif 000037
2007521601.tif 000038
2007521601.tif 000039
2007521601.tif 000040
2007521601.tif 000041
2007521601.tif 000042